(57)【要約】【課題】  ドアホン子機とドアホン親機あるいはいずれかのドアホン副親機とが通信中であっても他のドアホン副親機あるいはドアホン親機によって来訪者を確認することができるテレビドアホンシステムを提供すること。【解決手段】  ドアホン子機１００とドアホン親機２００あるいはいずれかのドアホン副親機３００，４００との通信中に他のドアホン副親機４００，３００あるいはドアホン親機２００の呼出応答ＳＷ部が操作されたときに、呼出応答ＳＷ部が操作されたドアホン副親機４００，３００あるいはドアホン親機２００の表示部にドアホン子機１００のカメラ部１０１で撮影された映像を表示し、スピーカ部にドアホン子機１００のマイク部１０３に入力された音声を出力する。【選択図】        図１
2006041793.tif 000002
【特許請求の範囲】
【請求項１】
マイク、スピーカおよびカメラを備えるドアホン子機と、マイク、スピーカおよび表示部を備え、前記ドアホン子機と通信するドアホン親機と、マイク、スピーカおよび表示部を備え、前記ドアホン親機を介して前記ドアホン子機と通信する少なくとも１つ以上のドアホン副親機とを備えるテレビドアホンシステムにおいて、
前記ドアホン子機は、
前記カメラで撮影された映像の映像信号および前記マイクに入力された音声の音声信号を前記ドアホン親機に送信する子機信号送信手段をさらに備え、
前記ドアホン親機は、
前記子機信号送信手段が送信した前記映像信号および前記音声信号を受信する親子間信号受信手段と、
該親子間信号受信手段が受信している前記映像信号および前記音声信号を前記ドアホン副親機に送信する親副間信号送信手段と、
前記映像信号および前記音声信号の送信を指令する副親機割込信号を前記ドアホン副親機から受信する親副間信号受信手段とをさらに備え、
前記ドアホン副親機は、
前記副親機割込信号を前記ドアホン親機に送信する副親機信号送信手段と、
該副親機信号送信手段に前記副親機割込信号を送信させるための副親機操作手段と、
前記親副間信号送信手段が送信した前記映像信号および前記音声信号を受信する副親機信号受信手段とをさらに備え、
前記親副間信号送信手段は、前記ドアホン親機と前記ドアホン子機との通信中に前記親副間信号受信手段が前記副親機割込信号を受信したとき、前記ドアホン副親機に前記映像信号および前記音声信号を送信し、
前記ドアホン副親機は、前記副親機信号受信手段が受信した前記映像信号の映像を前記ドアホン副親機の前記表示部に表示し、前記音声信号の音声を前記ドアホン副親機の前記スピーカに出力することを特徴とする、テレビドアホンシステム。
【請求項２】
前記ドアホン親機は、前記親子間信号受信手段が受信した前記映像信号を前記ドアホン親機の前記表示部に表示し、前記音声信号の音声を前記ドアホン親機の前記スピーカに出力する操作をするための親機操作手段をさらに備え、
前記ドアホン親機は、前記ドアホン副親機と前記ドアホン子機との通信中に前記親機操作手段が操作されたとき、前記映像信号の映像を前記ドアホン親機の前記表示部に表示し、前記音声信号の音声を前記ドアホン親機の前記スピーカに出力することを特徴とする、請求項１に記載のテレビドアホンシステム。
【請求項３】
前記親副間信号送信手段は、複数の前記ドアホン副親機のうちの第１ドアホン副親機と前記ドアホン子機との通信中に前記親副間信号受信手段が複数の前記ドアホン副親機のうちの第２ドアホン副親機から前記副親機割込信号を受信したとき、前記第２ドアホン副親機に前記映像信号を送信し、
前記第２ドアホン副親機は、当該第２ドアホン副親機の前記副親機信号受信手段が受信した前記映像信号の映像を前記第２ドアホン副親機の前記表示部に表示することを特徴する、請求項１または請求項２に記載のテレビドアホンシステム。
【請求項４】
前記ドアホン親機は、前記ドアホン親機と前記ドアホン子機との通信中に前記親副間信号受信手段が前記副親機割込信号を受信したとき、前記ドアホン親機の前記表示部に当該副親機割込信号を受信した旨を表示するか、前記ドアホン親機に設けられている前記表示部とは異なる親機報知手段で当該副親機割込信号を受信した旨を報知するか、あるいはその両方を行ない、
前記親副間信号送信手段は、前記ドアホン副親機と前記ドアホン子機との通信中に前記親機操作手段が操作されたときに当該操作がされたことを示す親機割込信号を前記ドアホン副親機に送信し、
前記ドアホン副親機は、前記ドアホン副親機と前記ドアホン子機との通信中に前記副親機信号受信手段が前記親機割込信号を受信したとき、前記ドアホン副親機の前記表示部に当該親機割込信号を受信した旨を表示するか、前記ドアホン副親機に設けられている前記表示部とは異なる副親機報知手段で当該親機割込信号を受信した旨を報知するか、あるいはその両方を行ない、
前記親副間信号送信手段は、複数の前記ドアホン副親機のうちの第１ドアホン副親機と前記ドアホン子機との通信中に複数の前記ドアホン副親機のうちの第２ドアホン副親機から前記親副間信号受信手段が前記副親機割込信号を受信したときに前記第１ドアホン副親機に当該副親機割込信号を送信し、
前記第１ドアホン副親機は、前記第１ドアホン副親機と前記ドアホン子機との通信中に当該第１ドアホン副親機の前記副親機信号受信手段が前記第２ドアホン副親機からの前記副親機割込信号を受信したとき、前記第１ドアホン副親機の前記表示部に当該副親機割込信号を受信した旨を表示するか、前記第１ドアホン副親機に設けられている前記表示部とは異なる前記副親機報知手段で当該副親機割込信号を受信した旨を報知するか、あるいはその両方を行なうことを特徴とする、請求項２または請求項３に記載のテレビドアホンシステム。
【請求項５】
前記ドアホン親機は、前記ドアホン親機と前記ドアホン子機との通信中に前記親副間信号受信手段が前記副親機割込信号を受信したとき前記ドアホン子機との通信を終了するとともに、当該副親機割込信号を送信した前記ドアホン副親機と前記ドアホン子機とを通信させる制御を行なう親副間通信切替手段をさらに備え、
前記ドアホン副親機は、前記ドアホン副親機と前記ドアホン子機との通信中に前記副親機信号受信手段が前記親機割込信号を受信したとき前記ドアホン子機との通信を終了するとともに、前記ドアホン親機と前記ドアホン子機とを通信させる制御を行なう副親間応答切替手段をさらに備え、
複数の前記ドアホン副親機のうちの第１ドアホン副親機は、前記第１ドアホン副親機と前記ドアホン子機との通信中に当該第１ドアホン副親機の前記副親機信号受信手段が複数の前記ドアホン副親機のうちの第２ドアホン副親機からの前記副親機割込信号を受信したとき前記ドアホン子機との通信を終了するとともに、前記第２ドアホン副親機と前記ドアホン子機とを通信させる制御を行なう副副間応答切替手段とをさらに備えることを特徴とする、請求項４に記載のテレビドアホンシステム。
【請求項６】
前記親副間信号送信手段は、前記ドアホン親機と前記ドアホン子機との通信中に前記親副間信号受信手段が複数の前記ドアホン副親機から送信されてきた前記副親機割込信号を受信したとき、最初に受信した前記副親機割込信号を送信した前記ドアホン副親機に前記音声信号を送信することを特徴とする、請求項１〜請求項５のいずれかに記載のテレビドアホンシステム。
【発明の詳細な説明】
【技術分野】
【０００１】
本発明は、テレビドアホンシステムに関する。詳しくは、マイク、スピーカおよびカメラを備えるドアホン子機と、マイク、スピーカおよび表示部を備え、前記ドアホン子機と通信するドアホン親機と、マイク、スピーカおよび表示部を備え、前記ドアホン親機を介して前記ドアホン子機と通信する少なくとも１つ以上のドアホン副親機とを備えるテレビドアホンシステムに関する。
【背景技術】
【０００２】
この種のテレビドアホンシステムとして従来から一般的に知られているものに、たとえば、一戸建てあるいはマンション等において、屋外に設置して来訪者を撮影するためのカメラを備えたドアホン子機と、住宅内に設置してドアホン子機のカメラで撮影された映像を表示するための表示部を備えたドアホン親機とを備えるテレビドアホンシステムがある。
【０００３】
このテレビドアホンシステムでは、来訪者がドアホン子機の呼出ボタンを押すと、ドアホン親機で来訪者の到来を知らせる報知音が鳴動するとともに、ドアホン子機のカメラで撮影された映像が、ドアホン親機の表示部に表示される。そのため、住人はわざわざ玄関に行かなくてもドアホン親機によって来訪者を確認し、対応することができる。このドアホン親機は、一般に住人が集まる場所、たとえば居間、台所等に設置される。また、住人はドアホン副親機を増設することにより、ドアホン親機とは別の場所でドアホン子機からの呼出に応答することができる。
【０００４】
また、従来のテレビドアホンシステムでは、一般的に、ドアホン子機とドアホン親機との間、あるいはドアホン親機とドアホン副親機との間は、有線接続されていた。たとえば、住宅を新築する場合には、配線を隠すための工事が可能であるため、ドアホン副親機を屋内に設置しても、配線が美感を損ねることはない。
【０００５】
しかし、既築住宅においては、ドアホン副親機を増設するためには、配線工事が新たに必要となる。そのため、配線を隠すことができない場合には、美感を損ねたり、配置場所が配線可能な場所に限定されたりするという問題があった。そこで、ドアホン親機とドアホン副親機との間を無線通信可能な構成にすることで、配線がないテレビドアホンシステムが提案されている。
【０００６】
たとえば、ドアホン親機はドアホン子機から伝送された映像信号および音声信号を無線でドアホン副親機に送信するとともにドアホン副親機から無線で送信された音声信号を受信し、ドアホン副親機はドアホン親機に音声信号を無線で送信するとともにドアホン親機から無線で送信された映像信号および音声信号を受信するテレビドアホンシステムがあった（特許文献１）。
【０００７】
また、ドアホン親機からドアホン副親機に映像信号および音声信号を無線で送信するときに、無線ＬＡＮ方式（ＩＥＥＥ８０２．１１等）やブルートゥース（Ｂｌｕｅｔｏｏｔｈ）規格方式で採用されているスペクトラム拡散方式を使用するテレビドアホンシステムがあった（特許文献２）。
【特許文献１】特開２０００−２２４３１６号公報
【特許文献２】特開２０００−２２４３１７号公報
【発明の開示】
【発明が解決しようとする課題】
【０００８】
特許文献１に示されるテレビドアホンシステムによれば、ドアホン副親機を設置するための配線工事が不要であり、また、ドアホン副親機は携帯することができる。したがって、ドアホン副親機を様々な場所で使用することができる。このようなドアホン親機とドアホン副親機との間の無線方式として、たとえば音声信号のみを無線送信するシステムの場合、コードレス電話などで実績のある小電力無線方式が多く採用されている。しかし、映像信号を無線送信する場合、そのままでは音声信号に比較して送信する情報量が増加するため、映像信号の圧縮が必要になり、また盗聴防止の観点からディジタル化して無線送信することが望まれる。
【０００９】
特許文献２に示されるテレビドアホンシステムによれば、ノイズや妨害に強く、他人からも傍受されにくいテレビドアホンシステムを実現することができる。
【００１０】
このように、ドアホン親機に複数のドアホン副親機が備えられている従来のテレビドアホンシステムでは、来訪者により屋外のドアホン子機が操作されると、屋内のドアホン親機および複数のドアホン副親機に一斉に呼出がかかり、ドアホン親機および複数のドアホン副親機がそれぞれ備えている表示部に来訪者の映像を表示するものはあった。
【００１１】
そして、ドアホン子機の呼び出しに対して最初に応答したドアホン親機あるいはいずれかのドアホン副親機にドアホン子機と通話する権利が与えられていた。このため、来訪者の真の訪問対象の住人が来訪者を確認する前に真の訪問対象以外の住人が近くのドアホン親機あるいはいずれかのドアホン副親機でドアホン子機からの呼出に応答すると、真の訪問対象の住人が来訪者を確認することができないという問題が生じていた。このような問題は、複数のドアホン副親機を容易に増設することができる無線テレビドアホンシステムでは、発生頻度が増加してしまう。
【００１２】
本発明は、係る事情に鑑み考え出されたものであり、その目的は、ドアホン子機とドアホン親機あるいはいずれかのドアホン副親機との通信中であっても他のドアホン副親機あるいはドアホン親機によって来訪者を確認することができるテレビドアホンシステムを提供することである。あわせて、ドアホン子機からの呼び出しに対して最初に真の訪問対象以外の住人が応答したときに、真の訪問対象以外の住人がドアホン子機との通信を他のドアホン親機あるいはドアホン副親機に切替えることができるテレビドアホンシステムを提供することである。
【課題を解決するための手段】
【００１３】
本発明によれば、テレビドアホンシステムは、マイク、スピーカおよびカメラを備えるドアホン子機と、マイク、スピーカおよび表示部を備え、ドアホン子機と通信するドアホン親機と、マイク、スピーカおよび表示部を備え、ドアホン親機を介してドアホン子機と通信する少なくとも１つ以上のドアホン副親機とを備えるテレビドアホンシステムにおいて、ドアホン子機は、カメラで撮影された映像の映像信号およびマイクに入力された音声の音声信号をドアホン親機に送信する子機信号送信手段をさらに備え、ドアホン親機は、子機信号送信手段が送信した映像信号および音声信号を受信する親子間信号受信手段と、親子間信号受信手段が受信している映像信号および音声信号をドアホン副親機に送信する親副間信号送信手段と、映像信号および音声信号の送信を指令する副親機割込信号をドアホン副親機から受信する親副間信号受信手段とをさらに備え、ドアホン副親機は、副親機割込信号をドアホン親機に送信する副親機信号送信手段と、副親機信号送信手段に副親機割込信号を送信させるための副親機操作手段と、親副間信号送信手段が送信した映像信号および音声信号を受信する副親機信号受信手段とをさらに備え、親副間信号送信手段は、ドアホン親機とドアホン子機との通信中に親副間信号受信手段が副親機割込信号を受信したとき、ドアホン副親機に映像信号および音声信号を送信し、ドアホン副親機は、副親機信号受信手段が受信した映像信号の映像をドアホン副親機の表示部に表示し、音声信号の音声をドアホン副親機のスピーカに出力する。
【００１４】
好ましくは、テレビドアホンシステムでは、ドアホン親機は、親子間信号受信手段が受信した映像信号をドアホン親機の表示部に表示し、音声信号の音声をドアホン親機のスピーカに出力する操作をするための親機操作手段をさらに備え、ドアホン親機は、ドアホン副親機とドアホン子機との通信中に親機操作手段が操作されたとき、映像信号の映像をドアホン親機の表示部に表示し、音声信号の音声をドアホン親機のスピーカに出力する。
【００１５】
好ましくは、テレビドアホンシステムでは、親副間信号送信手段は、複数のドアホン副親機のうちの第１ドアホン副親機とドアホン子機との通信中に親副間信号受信手段が複数のドアホン副親機のうちの第２ドアホン副親機から副親機割込信号を受信したとき、第２ドアホン副親機に映像信号を送信し、第２ドアホン副親機は、第２ドアホン副親機の副親機信号受信手段が受信した映像信号の映像を第２ドアホン副親機の表示部に表示する。
【００１６】
好ましくは、テレビドアホンシステムでは、ドアホン親機は、ドアホン親機とドアホン子機との通信中に親副間信号受信手段が副親機割込信号を受信したとき、ドアホン親機の表示部に副親機割込信号を受信した旨を表示するか、ドアホン親機に設けられている表示部とは異なる親機報知手段で副親機割込信号を受信した旨を報知するか、あるいはその両方を行ない、親副間信号送信手段は、ドアホン副親機とドアホン子機との通信中に親機操作手段が操作されたときに操作がされたことを示す親機割込信号をドアホン副親機に送信し、ドアホン副親機は、ドアホン副親機とドアホン子機との通信中に副親機信号受信手段が親機割込信号を受信したとき、ドアホン副親機の表示部に親機割込信号を受信した旨を表示するか、ドアホン副親機に設けられている表示部とは異なる副親機報知手段で親機割込信号を受信した旨を報知するか、あるいはその両方を行ない、親副間信号送信手段は、複数のドアホン副親機のうちの第１ドアホン副親機とドアホン子機との通信中に複数のドアホン副親機のうちの第２ドアホン副親機から親副間信号受信手段が副親機割込信号を受信したときに第１ドアホン副親機に副親機割込信号を送信し、第１ドアホン副親機は、第１ドアホン副親機とドアホン子機との通信中に第１ドアホン副親機の副親機信号受信手段が第２ドアホン副親機からの副親機割込信号を受信したとき、第１ドアホン副親機の表示部に副親機割込信号を受信した旨を表示するか、第１ドアホン副親機に設けられている表示部とは異なる副親機報知手段で副親機割込信号を受信した旨を報知するか、あるいはその両方を行なう。
【００１７】
好ましくは、テレビドアホンシステムでは、ドアホン親機は、ドアホン親機とドアホン子機との通信中に親副間信号受信手段が副親機割込信号を受信したときドアホン子機との通信を終了するとともに、副親機割込信号を送信したドアホン副親機とドアホン子機とを通信させる制御を行なう親副間通信切替手段をさらに備え、ドアホン副親機は、ドアホン副親機とドアホン子機との通信中に副親機信号受信手段が親機割込信号を受信したときドアホン子機との通信を終了するとともに、ドアホン親機とドアホン子機とを通信させる制御を行なう副親間応答切替手段をさらに備え、複数のドアホン副親機のうちの第１ドアホン副親機は、第１ドアホン副親機とドアホン子機との通信中に第１ドアホン副親機の副親機信号受信手段が複数のドアホン副親機のうちの第２ドアホン副親機からの副親機割込信号を受信したときドアホン子機との通信を終了するとともに、第２ドアホン副親機とドアホン子機とを通信させる制御を行なう副副間応答切替手段とをさらに備える。
【００１８】
好ましくは、テレビドアホンシステムでは、親副間信号送信手段は、ドアホン親機とドアホン子機との通信中に親副間信号受信手段が複数のドアホン副親機から送信されてきた副親機割込信号を受信したとき、最初に受信した副親機割込信号を送信したドアホン副親機に音声信号を送信する。
【発明の効果】
【００１９】
本発明によれば、ドアホン親機は、ドアホン親機とドアホン子機との通信中にドアホン副親機からの副親機割込信号を受信したときに副親機割込信号を送信したドアホン副親機にドアホン子機からの映像信号または音声信号を送信するため、ドアホン副親機の表示部に映像信号の映像が表示され、スピーカに音声信号の音声が出力され、ドアホン親機とドアホン子機との通信中であってもドアホン副親機により来訪者を確認することができる。また、ドアホン親機は、ドアホン副親機とドアホン子機との通信中に親機操作手段が操作されたときにドアホン親機の表示部に映像信号の映像を表示し、スピーカに音声信号の音声を出力するため、ドアホン副親機とドアホン子機との通信中であってもドアホン親機により来訪者を確認することができる。また、ドアホン親機は、複数のドアホン副親機のうちの第１ドアホン副親機とドアホン子機との通信中に複数のドアホン副親機のうちの第２ドアホン副親機からの副親機割込信号を受信したときに第２ドアホン副親機にドアホン子機からの映像信号を送信するため、第２ドアホン副親機の表示部に映像信号の映像が表示され、第１ドアホン副親機とドアホン子機との通信中であっても第２ドアホン副親機により来訪者を確認することができる。
【００２０】
また、本発明によれば、ドアホン親機とドアホン子機との通信中に、ドアホン子機との通信をドアホン親機からドアホン副親機に切替えることができる。また、ドアホン副親機とドアホン子機との通信中に、ドアホン子機との通信をドアホン副親機からドアホン親機に切替えることができる。また、複数のドアホン副親機のうちの第１ドアホン副親機とドアホン子機との通信中に、ドアホン子機との通信を第１ドアホン副親機から複数のドアホン副親機のうちの第２ドアホン副親機に切替えることができる。
【発明を実施するための最良の形態】
【００２１】
以下に、本発明に係るテレビドアホンシステムの実施の形態について図面を参照しながら詳細に説明する。
【００２２】
図１は、テレビドアホンシステムを示すブロック図である。テレビドアホンシステムは、ドアホン子機１００、ドアホン親機２００およびドアホン副親機３００，４００とから構成されている。屋外に設置されたドアホン子機１００と屋内に設置されたドアホン親機２００とは有線接続されており、双方向通信が可能である。ドアホン親機２００とドアホン副親機３００，４００とは無線通信される。ドアホン副親機３００，４００は、ドアホン親機２００を介してドアホン子機１００と双方向通信が可能である。
【００２３】
この実施の形態では、ドアホン親機２００とドアホン副親機３００，４００との無線通信にブルートゥース（Ｂｌｕｅｔｏｏｔｈ）を使用する例を示すが、通信の態様はこれに限られない。たとえば、無線ＬＡＮ方式であってもよい。また、無線通信に限られず、有線接続されて通信が行なわれるものであってもよい。
【００２４】
また、図１では、ドアホン親機２００に２台のドアホン副親機３００，４００が接続されている例を示すが、これに限られない。たとえば、ドアホン親機２００にドアホン副親機が１台だけ接続されているものであってもよいし、３台以上のドアホン副親機が接続されているものであってもよい。各ドアホン副親機は携帯することができ、それぞれ異なる場所に設置される。
【００２５】
ドアホン子機１００は、カメラ部１０１、スピーカ部１０２、マイク部１０３、呼出ＳＷ（スイッチ）部１０４および多重化分離化回路部１０５から構成されている。
【００２６】
カメラ部１０１は、来訪者を撮影し、撮影した映像を映像信号に変換する箇所である。スピーカ部１０２は、ドアホン親機２００から送信されてきた音声信号あるいはドアホン副親機３００，４００からドアホン親機を介して送信されてきた音声信号を再生して音声を出力する箇所である。マイク部１０３は、来訪者が発した音声を音声信号に変換する箇所である。
【００２７】
呼出ＳＷ部１０４は、来訪者が操作する箇所である。来訪者が呼出ＳＷ部１０４を操作すると、後述するドアホン親機２００およびドアホン副親機３００，４００のスピーカ部から来訪者の到来を知らせるための報知音を鳴らすための呼出信号が発生する。
【００２８】
多重化分離化回路部１０５は、カメラ部１０１から送信されてきた映像信号、マイク部１０３から送信されてきた音声信号および呼出ＳＷ部１０４から送信されてきた呼出信号を多重化してドアホン親機２００に送信する箇所である。また、多重化分離化回路部１０５は、後述するドアホン親機２００の多重化分離化回路部２０６から多重化して送信されてきた音声信号、制御信号およびドアホン子機１００を動作させるための電気信号を受信する箇所である。そして、受信した音声信号、制御信号および電気信号を分離し、分離した音声信号をスピーカ部１０２に送信する。
【００２９】
ドアホン親機２００は、多重化分離化回路部２０６、表示部２０７、スピーカ部２０８、マイク部２０９、映像信号圧縮部２１０、呼出応答ＳＷ（スイッチ）部２１１、制御部２１２、無線送信部２１３、無線受信部２１４、タイマ部２１５、ＬＥＤ２１６および切替ＳＷ（スイッチ）部２１７から構成されている。
【００３０】
多重化分離化回路部２０６は、ドアホン子機１００の多重化分離化回路部１０５から多重化して送信されてきた映像信号、音声信号および呼出信号を受信する箇所である。そして、受信した映像信号、音声信号および呼出信号を分離する。また、多重化分離化回路部２０６は、音声信号、制御信号およびドアホン子機１００を動作させるための電気信号を多重化してドアホン子機１００に送信する箇所である。
【００３１】
表示部２０７は、多重化分離化回路部２０６で分離されたドアホン子機１００からの映像信号を再生して映像を表示する箇所である。スピーカ部２０８は、多重化分離化回路部２０６で分離されたドアホン子機１００からの音声信号あるいはドアホン副親機３００，４００からの音声信号を再生して音声を出力する箇所である。マイク部２０９は、ドアホン親機２００の利用者が発した音声を音声信号に変換する箇所である。
【００３２】
映像信号圧縮部２１０は、ドアホン子機１００から送信されてきた映像信号を圧縮する箇所である。映像信号を圧縮するのは、音声信号に比べて情報量が大きいため、ドアホン親機２００とドアホン副親機３００，４００との間の無線送信にかかる負担を減らすためである。
【００３３】
呼出応答ＳＷ部２１１は、ドアホン親機２００の利用者（たとえば、住人）が操作する箇所である。たとえば、ドアホン子機１００またはドアホン副親機３００，４００から呼び出しがかかっているときに、ドアホン親機２００の利用者が呼出応答ＳＷ部２１１を操作すると、その呼び出しに対して応答することができる。また、ドアホン副親機３００またはドアホン副親機４００を呼び出したいときにもドアホン親機２００の利用者が呼出応答ＳＷ部２１１を操作すると、呼び出しをすることができる。
【００３４】
制御部２１２は、ドアホン子機１００またはドアホン副親機３００，４００からの呼び出しに対する応答あるいはドアホン親機２００からの呼び出しに従って適切に映像信号、音声信号および制御信号の送受信を制御する箇所である。
【００３５】
無線送信部２１３は、制御部２１２から送信されてきた音声信号、制御信号および圧縮された映像信号をドアホン副親機３００，４００に無線送信する箇所である。無線受信部２１４は、ドアホン副親機３００，４００から無線送信されてきた音声信号および制御信号を受信し、制御部２１２に送信する箇所である。
【００３６】
タイマ部２１５は、たとえば、ドアホン子機１００からの呼び出しがあってからの時間を計測し、または後述するようにドアホン副親機３００，４００から割込があってからの時間を計測する箇所である。タイマ部２１５は、計測した時間データを制御部２１２に送信する。
【００３７】
ＬＥＤ２１６は、たとえば、後述するようにドアホン親機２００が呼出状態に移行したとき、あるいは割込信号がドアホン副親機３００またはドアホン副親機４００から送信されてきたとき等に、呼出状態であること、あるいはドアホン副親機３００またはドアホン副親機４００から割込信号が送信されてきていることをドアホン親機２００の利用者に報知するために点灯される。ＬＥＤ２１６は、制御部２１２により点灯および消灯の制御がされる。
【００３８】
切替ＳＷ部２１７は、ドアホン親機２００の利用者が操作する箇所である。たとえば、ドアホン子機１００とドアホン親機２００との通信中にドアホン副親機３００またはドアホン副親機４００から後述する割込信号が送信されてきたときに、ドアホン親機２００の利用者が切替ＳＷ部２１７を操作することによりドアホン子機１００とドアホン親機２００との通信をドアホン子機１００とドアホン副親機３００またはドアホン副親機４００との通信に切替えることができる。
【００３９】
ドアホン副親機３００は、無線受信部３１７、無線送信部３１８、呼出応答ＳＷ部３１９、制御部３２０、映像信号伸張部３２１、表示部３２２、スピーカ部３２３、マイク部３２４、ＬＥＤ３２５および切替ＳＷ（スイッチ）部３２６から構成されている。
【００４０】
無線受信部３１７は、ドアホン親機２００の無線送信部２１３から無線送信されてきた音声信号、制御信号および圧縮された映像信号を受信する箇所である。無線送信部３１８は、ドアホン親機２００に音声信号および制御信号を無線送信する箇所である。
【００４１】
呼出応答ＳＷ部３１９は、ドアホン副親機３００の利用者（たとえば、住人）が操作する箇所である。たとえば、ドアホン子機１００、ドアホン親機２００およびドアホン副親機４００から呼び出しがかかっているときに、ドアホン副親機３００の利用者が呼出応答ＳＷ部３１９を操作すると、その呼び出しに対して応答することができる。また、ドアホン親機２００またはドアホン副親機４００を呼び出したいときにもドアホン副親機３００の利用者が呼出応答ＳＷ部３１９を操作すると、呼び出しをすることができる。
【００４２】
制御部３２０は、ドアホン子機１００、ドアホン親機２００およびドアホン副親機４００からの呼び出しに対する応答あるいはドアホン副親機３００からの呼び出しに従って適切に映像信号、音声信号および制御信号の送受信を制御する箇所である。
【００４３】
映像信号伸張部３２１は、ドアホン親機２００から送信されてきた圧縮されている映像信号を伸張する箇所である。表示部３２２は、映像信号伸張部３２１で伸張された映像信号を再生して映像を表示する箇所である。スピーカ部３２３は、ドアホン親機２００から送信されてきた音声信号を再生して音声を出力する箇所である。マイク部３２４は、ドアホン副親機３００の利用者が発した音声を音声信号に変換する箇所である。
【００４４】
ＬＥＤ３２５は、たとえば、後述するようにドアホン副親機３００が呼出状態に移行したとき、あるいは割込信号がドアホン親機２００またはドアホン副親機４００から送信されてきたとき等に、呼出状態であること、あるいはドアホン親機２００またはドアホン副親機４００から割込信号が送信されてきていることをドアホン副親機３００の利用者に報知するために点灯される。ＬＥＤ３２５は、制御部３２０により点灯および消灯の制御がされる。
【００４５】
切替ＳＷ部３２６は、ドアホン副親機３００の利用者が操作する箇所である。たとえば、ドアホン子機１００とドアホン副親機３００とが通信中にドアホン親機２００またはドアホン副親機４００から後述する割込信号が送信されてきたときに、ドアホン副親機３００の利用者が切替ＳＷ部３２６を操作することによりドアホン子機１００とドアホン副親機３００との通信をドアホン子機１００とドアホン親機２００またはドアホン副親機４００との通信に切替えることができる。
【００４６】
なお、ドアホン副親機４００は、ドアホン副親機３００と同じ構成であるため、ここでは説明を繰り返さない。また、制御信号は、呼出・応答などの情報を含み、映像信号や音声信号の送受信などを適切に制御するための信号である。
【００４７】
次に、来訪者がドアホン子機１００の呼出ＳＷ部１０４を操作したときのドアホン子機１００の動作について説明する。図２は、ドアホン子機１００により実行される呼出処理を示すフローチャートである。
【００４８】
まず、ステップＳ（以下、単に「Ｓ」と省略する）２０１において、ドアホン子機１００の呼出ＳＷ部１０４が来訪者により押下する等の操作がされたことが検知される。Ｓ２０２において、多重化分離化回路部１０５を介してドアホン親機２００に呼出信号が送信される。
【００４９】
Ｓ２０３において、ドアホン親機２００から送信されてきた起動信号が受信される。この起動信号は、ドアホン子機１００のカメラ部１０１、スピーカ部１０２、マイク部１０３を起動させるための制御信号である。
【００５０】
Ｓ２０４において、Ｓ２０３で起動信号を受信したことによりドアホン子機１００が起動状態に移行される。起動状態とは、ドアホン子機１００のカメラ部１０１により来訪者の撮影がされ、スピーカ部１０２により音声信号が再生されて音声が出力され、マイク部１０３により来訪者の発した音声が音声信号に変換される状態をいう。
【００５１】
Ｓ２０５において、多重化分離化回路部１０５を介してドアホン親機２００にカメラ部１０１で撮影された映像の映像信号が送信される。カメラ部１０１が起動状態に移行されたことにより撮影が開始され、撮影された映像が映像信号に変換される。
【００５２】
Ｓ２０６において、多重化分離化回路部１０５を介してドアホン親機２００にマイク部１０３に入力された音声の音声信号が送信される。起動状態に移行されたことによりマイク部１０３に音声の入力が可能な状態となり、入力された音声が音声信号に変換される。
【００５３】
Ｓ２０７において、ドアホン親機２００またはドアホン副親機３００，４００から送信されてきた応答信号を受信したか否かが判断される。応答信号を受信したときはＹｅｓの判断がなされ、この処理は終了する。一方、応答信号を受信していないときはＮｏの判断がなされ、Ｓ２０５の処理に戻る。応答信号は、ドアホン子機１００からの呼び出しがかかっているときに、ドアホン親機２００の利用者が呼出応答ＳＷ部２１１を操作することによりまたはドアホン副親機３００，４００の利用者が呼出応答ＳＷ部３１９，４１９を操作することにより発生する。
【００５４】
図３は、ドアホン親機２００の制御部２１２により実行される呼出処理を示すフローチャートである。図３の処理は、来訪者により呼出ＳＷ部１０４が操作され、発生した呼出信号がドアホン親機２００で受信されたときに実行される。
【００５５】
まず、Ｓ３０１において、ドアホン子機１００から送信されてきた呼出信号が多重化分離化回路部２０６を介して受信される。
【００５６】
Ｓ３０２において、多重化分離化回路部２０６を介してドアホン子機１００に起動信号が送信される。この起動信号は、ドアホン子機１００から送信されてきた呼出信号を受信したことにより生成される制御信号である。この起動信号には、前述したドアホン子機１００の各部を起動させる命令信号が含まれている。
【００５７】
Ｓ３０３において、無線送信部２１３を介してドアホン副親機３００，４００に呼出信号が送信される。この呼出信号は、ドアホン子機１００から送信されてきた呼出信号を受信したことにより生成される制御信号である。この呼出信号には、たとえば、ドアホン副親機３００，４００のスピーカ部３２３，４２３に報知音を出力させるための命令信号が含まれている。
【００５８】
Ｓ３０４において、Ｓ３０１で呼出信号を受信したことによりドアホン親機２００が呼出状態に移行される。呼出状態とは、ドアホン子機１００から送信されてきた信号に基づいて表示部２０７に映像を表示させ、あるいはスピーカ部２０８に音声を出力させることができ、ＬＥＤ２１６を点灯させる状態をいう。
【００５９】
Ｓ３０５において、タイマ部２１５を初期化する処理が行なわれる。これは、ドアホン親機２００が呼出状態に移行されてから経過した時間を計測するために行なわれる。Ｓ３０６において、ドアホン子機１００から送信されてきた映像信号が多重化分離化回路部２０６を介して受信される。Ｓ３０７において、ドアホン子機１００から送信されてきた音声信号が多重化分離化回路部２０６を介して受信される。
【００６０】
Ｓ３０８において、無線送信部２１３を介してドアホン副親機３００，４００に映像信号が送信される。この映像信号は、映像信号圧縮部２１０において圧縮処理がされた信号である。Ｓ３０９において、無線送信部２１３を介してドアホン副親機３００またはドアホン副親機４００に音声信号が送信される。
【００６１】
この実施の形態では、音声信号の無線通信にブルートゥースのＳＣＯ（Synchronous Connection Oriented）リンクを使用する例を示す。ブルートゥースのＳＣＯリンクは、１対１の双方向の音声通信を行なう特徴がある。そのため、制御部２１２に予めＳ３０９の処理で音声信号が送信されるドアホン副親機を１台登録しておく必要がある。そして、登録されたドアホン副親機にだけＳ３０９において音声信号の送信が行なわれる。制御部２１２に登録されていないドアホン副親機にはＳ３０９の処理が行なわれず、Ｓ３１０へ進む。
【００６２】
Ｓ３１０において、Ｓ３０６で受信した映像信号が表示部２０７に送信される。その結果、表示部２０７にはドアホン子機１００のカメラ部１０１で撮影された映像が表示される。Ｓ３１１において、Ｓ３０７で受信した音声信号がスピーカ部２０８に送信される。その結果、スピーカ部２０８にはドアホン子機１００のマイク部１０３に入力された音声が出力される。
【００６３】
Ｓ３１２において、ドアホン親機２００自身、またはいずれかのドアホン副親機からの応答信号を受信したか否かが判断される。この判断は、たとえば、制御部２１２により、ドアホン親機２００の利用者が呼出応答ＳＷ部２１１を操作したことにより発生した応答信号が受信されたか否か、またはいずれかのドアホン副親機の利用者がそれぞれのドアホン副親機の呼出応答ＳＷ部を操作したことにより発生した応答信号が無線受信部２１４を介して受信されたか否かにより行なわれる。応答信号が受信されたときはＹｅｓの判断がなされ、Ｓ３１４に進む。一方、応答信号が受信されていないときはＮｏの判断がなされ、Ｓ３１３に進む。
【００６４】
Ｓ３１３において、タイマ部２１５において計測された時間が予め定められている時間を経過したか否かが判断される。たとえば、住人が留守であるとき等、来訪者の呼び出しに対して予め定められている時間（たとえば、３０秒）を経過しているときはＹｅｓの判断がなされ、この処理は終了する。一方、予め定められている時間を経過していないときＮｏの判断がなされ、Ｓ３０６に戻る。Ｓ３１４において、ドアホン親機２００の応答処理が実行されるが、詳しくは後述する。
【００６５】
図４は、ドアホン副親機３００の制御部３２０により実行される呼出処理を示すフローチャートである。図４の処理は、来訪者により呼出ＳＷ部１０４が操作され、発生した呼出信号がドアホン副親機３００で受信されたときに実行される。なお、図４の説明では、ドアホン副親機３００における呼出処理の説明をするが、ドアホン副親機４００においても同様の呼出処理が実行される。
【００６６】
まず、Ｓ４０１において、ドアホン親機２００から送信されてきた呼出信号が無線受信部３１７を介して受信される。Ｓ４０２において、Ｓ４０１で呼出信号を受信したことによりドアホン副親機３００が呼出状態に移行される。
【００６７】
Ｓ４０３において、ドアホン親機２００から送信されてきた映像信号が無線受信部３１７を介して受信される。Ｓ４０４において、ドアホン親機２００から送信されてきた音声信号が無線受信部３１７を介して受信される。この実施の形態では、ブルートゥースのＳＣＯリンクを使用しているので、前述したようにドアホン親機２００の制御部２１２にドアホン副親機３００が登録されていればＳ４０４が実行され、登録されていなければＳ４０４が実行されず、Ｓ４０５に進む。
【００６８】
Ｓ４０５において、Ｓ４０３で受信した映像信号が表示部３２２に送信される。その結果、表示部３２２にはドアホン子機１００のカメラ部１０１で撮影された映像が表示される。この映像信号は、映像信号伸張部３２１において伸張処理がされた信号である。
【００６９】
Ｓ４０６において、Ｓ４０４で受信した音声信号がスピーカ部３２３に送信される。その結果、スピーカ部３２３にはドアホン子機１００のマイク部１０３に入力された音声が出力される。この実施の形態では、ブルートゥースのＳＣＯリンクを使用しているので、前述したようにドアホン親機２００の制御部２１２にドアホン副親機３００が登録されていればＳ４０６が実行され、登録されていなければＳ４０６が実行されず、Ｓ４０７に進む。
【００７０】
Ｓ４０７において、ドアホン副親機３００自身の応答信号を受信したか否かが判断される。この判断は、たとえば、制御部３２０によりドアホン副親機３００の利用者が呼出応答ＳＷ部３１９を操作したことにより発生した応答信号が受信されたか否かにより行なわれる。応答信号が受信されたときはＹｅｓの判断がなされ、この処理は終了する。一方、応答信号が受信されていないときはＮｏの判断がなされ、Ｓ４０３に戻る。
【００７１】
次に、図５から図１０までを参照して、ドアホン子機１００からの呼び出しに対してドアホン副親機３００が応答したときのテレビドアホンシステムの動作について説明する。このとき、ドアホン親機２００およびドアホン副親機４００は、待機状態に移行される。なお、ドアホン子機１００からの呼び出しに対してドアホン副親機４００が応答したときにおいても同様の処理が実行される。
【００７２】
図５は、ドアホン副親機３００の制御部３２０により実行される応答処理を示すフローチャートである。まず、Ｓ５０１において、ドアホン子機１００からの呼び出しに対する応答が検知される。Ｓ５０２において、無線送信部３１８を介してドアホン親機２００に応答信号が送信される。この応答信号は、ドアホン子機１００の呼び出しに対する応答の検知に基づいて、たとえば、制御部３２０により生成される。
【００７３】
Ｓ５０２でドアホン親機２００に応答信号が送信されたことにより、ドアホン親機２００からはドアホン子機１００との通信を許可する通信許可信号が送信されてくる。Ｓ５０３において、ドアホン親機２００から送信されてきた通信許可信号が無線送信部３１８を介して受信される。
【００７４】
Ｓ５０４において、Ｓ５０３で通信許可信号を受信したことによりドアホン副親機３００が通信状態に移行される。通信状態とは、ドアホン副親機３００のマイク部３２４に入力された音声が音声信号に変換され、ドアホン親機２００を介してドアホン子機１００に変換された音声信号が送信され、ドアホン親機２００を介してドアホン子機１００から送信されてきた映像信号の映像が表示部３２２に表示され、ドアホン親機２００を介してドアホン子機１００から送信されてきた音声信号の音声がスピーカ部３２３に出力される状態をいう。Ｓ５０５において、ドアホン副親機３００の通信処理が実行される。
【００７５】
図６は、ドアホン副親機３００の制御部３２０により実行される通信処理を示すフローチャートである。まず、Ｓ６０１において、ドアホン親機２００から送信されてきた映像信号が無線受信部３１７を介して受信される。Ｓ６０２において、ドアホン親機２００から送信されてきた音声信号が無線受信部３１７を介して受信される。
【００７６】
Ｓ６０３において、Ｓ６０１で受信した映像信号が表示部３２２に送信される。その結果、表示部３２２にはドアホン子機１００のカメラ部１０１で撮影された映像が表示される。この映像信号は、映像信号伸張部３２１において伸張処理がされた信号である。Ｓ６０４において、Ｓ６０２で受信した音声信号がスピーカ部３２３に送信される。その結果、スピーカ部３２３にはドアホン子機１００のマイク部１０３に入力された音声が出力される。
【００７７】
Ｓ６０５において、マイク部３２４に入力されたドアホン副親機３００の利用者（たとえば住人）が発した音声が音声信号に変換され、変換された音声信号が無線信号送信部３１８を介してドアホン親機２００に送信される。
【００７８】
Ｓ６０６において、ドアホン子機１００とドアホン副親機３００との通信が終了したか否かが判断される。この判断は、たとえば、制御部３２０により、ドアホン子機１００とドアホン副親機３００との通信中にドアホン副親機３００の利用者が呼出応答ＳＷ部３１９を操作したことにより発生した通信の終了を示す信号が受信されたか否かにより行なわれる。通信が終了したときはＹｅｓの判断がなされ、この処理は終了する。一方、通信が終了していないときはＮｏの判断がなされ、Ｓ６０１に戻る。
【００７９】
図７は、ドアホン親機２００の制御部２１２により実行される応答処理を示すフローチャートである。まず、Ｓ７０１において、図３のＳ３１２で受信した応答信号がドアホン親機２００自身の応答信号であるか否かが判断される。応答信号がドアホン親機２００自身の応答信号であるときはＹｅｓの判断がなされ、Ｓ７０２に進む。一方、ドアホン親機２００自身の応答信号ではないときはＮｏの判断がなされ、Ｓ７０４に進む。
【００８０】
ここでは、図５から図１０までを参照して、ドアホン子機１００からの呼び出しに対してドアホン副親機３００が応答したときのテレビドアホンシステムの動作について説明しているので、Ｓ７０１において、Ｎｏの判断がなされ、Ｓ７０４に進むときの説明を行なう。
【００８１】
Ｓ７０４において、無線送信部２１３を介してドアホン副親機３００に通信許可信号が送信される。Ｓ７０５において、無線送信部２１３を介してドアホン副親機４００（すなわち、通信許可信号が送信されていないドアホン副親機）に待機信号が送信される。たとえば、予めドアホン副親機毎に識別番号を設けておき、通信許可信号を送信したドアホン副親機３００の識別番号を制御部２１２に記憶しておき、それ以外の識別番号を有するドアホン副親機に待機信号が送信される。
【００８２】
Ｓ７０６において、ドアホン親機２００自身が待機状態に移行される。待機状態に移行されると、たとえば、表示部２０７にはドアホン子機１００のカメラ部１０１で撮影された映像が表示されなくなる。また、スピーカ部２０８にはドアホン子機１００のマイク部１０３に入力された音声が出力されなくなる。
【００８３】
このようにすると、ドアホン副親機３００で応答した住人の会話はドアホン親機２００の利用者に聞かれなくなるため、プライバシーの保護を図ることができる。また、ドアホン子機１００からの映像信号の映像が表示部２０７に表示されず、音声信号の音声がスピーカ部２０８に出力されないため、ドアホン親機２００の消費電力を抑えることができる。
【００８４】
Ｓ７０７において、Ｓ７０６でドアホン親機２００自身が待機状態に移行されたことを受けて、ドアホン親機２００の通信処理２が実行され、この処理は終了する。
【００８５】
図８は、ドアホン親機２００の制御部２１２により実行される通話処理２を示すフローチャートである。図８の処理は、制御部２１２がドアホン子機１００とドアホン副親機３００との通信を中継するときに実行される。
【００８６】
まず、Ｓ８０１において、ドアホン子機１００から送信されてきた映像信号が多重化分離化回路部２０６を介して受信される。Ｓ８０２において、ドアホン子機１００から送信されてきた音声信号が多重化分離化回路部２０６を介して受信される。
【００８７】
Ｓ８０３において、無線送信部２１３を介して通信許可信号を送信したドアホン副親機３００に映像信号が送信される。この映像信号は、映像信号圧縮部２１０において圧縮処理がされた信号である。Ｓ８０４において、無線送信部２１３を介して通信許可信号を送信したドアホン副親機３００に音声信号が送信される。
【００８８】
Ｓ８０５において、ドアホン副親機３００から送信されてきた音声信号が無線受信部２１４を介して受信される。Ｓ８０６において、多重化分離化回路部２０６を介してドアホン子機１００にドアホン副親機３００から受信した音声信号が送信される。
【００８９】
Ｓ８０７において、ドアホン副親機３００とドアホン子機１００との通信が終了したか否かが判断される。この判断は、たとえば、制御部２１２により、ドアホン子機１００とドアホン副親機３００との通信中にドアホン副親機３００の利用者が呼出応答ＳＷ部３１９を操作したことにより発生した通信の終了を示す信号が無線受信部２１４を介して受信されたか否かにより行われる。通信の終了を示す信号が受信されたときはＹｅｓの判断がなされ、この処理は終了する。一方、通信の終了を示す信号が受信されていないときはＮｏの判断がなされ、Ｓ８０１に戻る。
【００９０】
図９は、ドアホン副親機４００の制御部４２０により実行される待機処理を示すフローチャートである。図９の処理は、図７のＳ７０５で送信した待機信号が受信されたときに実行される。
【００９１】
まず、Ｓ９０１において、ドアホン親機２００から送信されてきた待機信号が無線受信部４１７を介して受信される。Ｓ９０２において、Ｓ９０１で待機信号を受信したことによりドアホン副親機４００自身が待機状態に移行される。待機状態に移行されると、たとえば、表示部４２２にはドアホン子機１００のカメラ部１０１で撮影された映像が表示されなくなる。また、スピーカ部４２３にはドアホン子機１００から受信した音声信号の音声が出力されなくなる。
【００９２】
このようにすると、ドアホン副親機３００で応答した住人の会話はドアホン副親機４００の利用者に聞かれなくなるため、プライバシーの保護を図ることができる。また、ドアホン子機１００からの映像信号の映像が表示部４２２に表示されず、音声信号の音声がスピーカ部４２３に出力されないため、ドアホン副親機４００の消費電力を抑えることができる。
【００９３】
図１０は、ドアホン子機１００により実行される通信処理を示すフローチャートである。まず、Ｓ１００１において、ドアホン親機２００にカメラ部１０１で撮影された映像の映像信号が多重化分離化回路部１０５を介して送信される。Ｓ１００２において、マイク部１０３に入力された音声の音声信号が多重化分離化回路部１０５を介してドアホン親機２００に送信される。
【００９４】
Ｓ１００３において、ドアホン親機２００から送信されてきた音声信号が多重化分離化回路部１０５を介して受信される。Ｓ１００４において、Ｓ１００３で受信した音声信号がスピーカ部１０２に送信される。その結果、スピーカ部１０２にはドアホン副親機３００のマイク部３２４に入力された音声が出力される。
【００９５】
Ｓ１００５において、ドアホン副親機３００との通信が終了したか否かが判断される。この判断は、たとえば、ドアホン副親機３００から送信されてきた通信の終了を示す信号が受信されたか否かにより行なわれる。通信の終了を示す信号が受信されたときはＹｅｓの判断がなされ、この処理は終了する。一方、通信の終了を示す信号が受信されていないときはＮｏの判断がなされ、Ｓ１００１に戻る。
【００９６】
以上が、ドアホン子機１００からの呼び出しに対してドアホン副親機３００が応答したときにおけるテレビドアホンシステムの動作についての説明である。
【００９７】
次に、再び図７、図９、図１０を参照し、新たに図１１を参照して、ドアホン子機１００からの呼び出しに対してドアホン親機２００が応答したときのテレビドアホンシステムの動作について説明する。このとき、ドアホン副親機３００およびドアホン副親機４００は、待機状態に移行される。
【００９８】
まず、図７を参照して、Ｓ７０１において、Ｙｅｓの判断がなされ、Ｓ７０２に進むときの説明を行なう。Ｓ７０２において、無線送信部２１３を介してドアホン副親機３００，４００に待機信号が送信される。Ｓ７０３において、ドアホン親機２００の通信処理１が実行され、この処理は終了する。
【００９９】
次に、図９を参照して、ドアホン子機１００からの呼び出しに対してドアホン親機２００が応答したときは、ドアホン副親機３００，４００に待機信号が送信されるため、ドアホン副親機３００，４００において、図９に示すドアホン副親機の待機処理が実行される。図９は前述したので、ここでは説明を繰り返さない。
【０１００】
次に、図１０を参照して、ドアホン子機１００からの呼び出しに対してドアホン親機２００が応答したときは、ドアホン子機１００において、図１０に示すドアホン子機１００の通信処理が実行される。図１０は前述したので、ここでは説明を繰り返さない。
【０１０１】
図１１は、ドアホン親機２００の制御部２１２により実行される通信処理１を示すフローチャートである。図１１の処理は、ドアホン子機１００とドアホン親機２００とが通信するときに実行される。
【０１０２】
まず、Ｓ１１０１において、ドアホン子機１００から送信されてきた映像信号が多重化分離化回路部２０６を介して受信される。Ｓ１１０２において、ドアホン子機１００から送信されてきた音声信号が多重化分離化回路部２０６を介して受信される。
【０１０３】
Ｓ１１０３において、Ｓ１１０１で受信した映像信号が表示部２０７に送信される。その結果、表示部２０７にはドアホン子機１００のカメラ部１０１で撮影された映像が表示される。Ｓ１１０４において、Ｓ１１０２で受信した音声信号がスピーカ部２０８に送信される。その結果、スピーカ部２０８にはドアホン子機１００のマイク部１０３に入力された音声が出力される。
【０１０４】
マイク部２０９に入力されたドアホン親機２００の利用者が発した音声が音声信号に変換され、Ｓ１１０５において、変換された音声信号が多重化分離化回路部２０６を介してドアホン子機１００に送信される。
【０１０５】
Ｓ１１０６において、ドアホン子機１００とドアホン親機２００との通信が終了したか否かが判断される。この判断は、たとえば、制御部２１２により、ドアホン子機１００とドアホン親機２００との通信中にドアホン親機２００の利用者が呼出応答ＳＷ部２１１を操作したことにより発生した通信の終了を示す信号が受信されたか否かにより行なわれる。通信が終了したときはＹｅｓの判断がなされ、この処理は終了する。一方、通信が終了していないときはＮｏの判断がなされ、Ｓ１１０１の処理に戻る。
【０１０６】
以上が、ドアホン子機１００からの呼び出しに対してドアホン親機２００が応答したときにおけるテレビドアホンシステムの動作についての説明である。
【０１０７】
次に、図１２から図１４までを参照して、ドアホン子機１００からの呼び出しに対してドアホン親機２００が応答し、ドアホン子機１００とドアホン親機２００との通信中にドアホン副親機３００が割込みをして、ドアホン子機１００との通信がドアホン親機２００からドアホン副親機３００に切替わるときのテレビドアホンシステムの動作について説明する。
【０１０８】
図１２は、ドアホン副親機３００の制御部３２０により実行される子−親間割込処理を示すフローチャートである。図１２の処理は、ドアホン子機１００とドアホン親機２００との通信中にドアホン副親機３００の利用者により呼出応答ＳＷ部３１９が操作され、割込みが検知されたときに実行される。
【０１０９】
まず、Ｓ１２０１において、ドアホン副親機３００の利用者により呼出応答ＳＷ部３１９を押下す等の操作がされたことにより、割込みが検知される。Ｓ１２０２において、無線送信部３１８を介してドアホン親機２００に割込信号が制御信号とともに送信される。この割込信号は、割込みの検知に基づいて、たとえば制御部３２０により生成される。Ｓ１２０３において、ドアホン親機２００から送信されてきたドアホン子機１００とドアホン親機２００とが通信中であることを示す信号が無線受信部３１７を介して受信される。
【０１１０】
Ｓ１２０４において、Ｓ１２０３でドアホン子機１００とドアホン親機２００とが通信中であることを示す信号を受信したことにより、制御部３２０で予め記憶されている文字データまたは画像データを示す信号が表示部３２２に送信される。その結果、たとえば、表示部３２２には「ドアホン子機１００とドアホン親機２００とが現在通信中」である旨が文章で表示される。あるいは、表示部３２２に通信中を表すアイコンや画像等を表示してもよい。１２０５において、ドアホン子機１００とドアホン親機２００との通信に割込中であることをドアホン副親機３００の利用者に報知するためにＬＥＤ３２５が点灯される。
【０１１１】
このようにすると、割込みをかけたドアホン副親機３００の利用者は、いずれのドアホン（ドアホン親機２００あるいはドアホン副親機４００）がドアホン子機１００と通信中であるか視認することができる。
【０１１２】
Ｓ１２０６において、ドアホン親機２００から送信されてきた映像信号が無線受信部３１７を介して受信される。Ｓ１２０７において、ドアホン親機２００から送信されてきた音声信号が無線受信部３１７を介して受信される。この処理は、ドアホン子機１００とドアホン親機２００との通信中に割込みをしたドアホン副親機が２台以上あるときは、音声の無線通信にブルートゥースのＳＣＯリンクを使用している関係上、ドアホン親機２００によって最初に割込みが確認されたドアホン副親機によってのみ行なわれる。他のドアホン副親機は、Ｓ１２０７の処理を飛ばし、Ｓ１２０８に処理を進める。
【０１１３】
Ｓ１２０８において、Ｓ１２０６で受信した映像信号が表示部３２２に送信される。その結果、表示部３２２にはドアホン子機１００のカメラ部１０１で撮影された映像が表示される。この映像信号は、映像信号伸張部３２１において伸張処理がされた信号である。
【０１１４】
Ｓ１２０９において、Ｓ１２０７で受信した音声信号がスピーカ部３２３に送信される。その結果、スピーカ部３２３にはドアホン子機１００のマイク部１０３に入力された音声が出力される。このＳ１２０９の処理は、ドアホン子機１００とドアホン親機２００との通信中に割込みをしたドアホン副親機が２台以上あるときは、音声の無線通信にブルートゥースのＳＣＯリンクを使用している関係上、ドアホン親機２００によって最初に割込みが確認されたドアホン副親機によってのみ行なわれる。他のドアホン副親機は、Ｓ１２０９の処理を飛ばし、Ｓ１２１０に処理を進める。
【０１１５】
これによれば、ドアホン子機１００とドアホン親機２００との通信中においても、ドアホン副親機３００の利用者が来訪者を確認することができる。
【０１１６】
なお、表示部３２２に表示された来訪者の映像あるいはスピーカ部３２３に出力された来訪者の音声からドアホン副親機３００の利用者が来訪者の訪問対象以外の住人であると判断したときは、たとえば、再びドアホン副親機３００の利用者により呼出応答ＳＷ部３１９が操作されることによりドアホン子機１００とドアホン親機２００との通信への割込みを終了できるようにしてもよい。
【０１１７】
Ｓ１２１０において、ドアホン親機２００の利用者により切替ＳＷ部２１７が操作されたことにより発生するドアホン子機１００との通信をドアホン親機２００からドアホン副親機３００に切替えることを許可する通信切替許可信号が受信されたか否かが判断される。通信切替許可信号が受信されたときはＹｅｓの判断がなされ、Ｓ１２１４に進む。一方、通信切替許可信号が受信されていないときはＮｏの判断がなされ、Ｓ１２１１に進む。
【０１１８】
ここでは、図１２から図１４までを参照して、ドアホン子機１００からの呼び出しに対してドアホン親機２００が応答し、ドアホン子機１００とドアホン親機２００との通信中にドアホン副親機３００が割込みをして、ドアホン子機１００との通信がドアホン親機２００からドアホン副親機３００に切替わるときのテレビドアホンシステムの動作について説明しているので、Ｓ１２１０において、Ｙｅｓの判断がなされ、Ｓ１２１４に進むときの説明を行なう。
【０１１９】
Ｓ１２１４において、Ｓ１２１３でドアホン親機２００から送信されてきた通信切替許可信号を受信したことにより、ドアホン子機１００とドアホン親機２００との通信に割込中であることをドアホン副親機３００の利用者に報知するために点灯されていたＬＥＤ３２５が消灯される。Ｓ１２１５において、図６に示すドアホン副親機３００の通信処理が実行される。図６は前述したので、ここでは説明を繰り返さない。
【０１２０】
図１３および図１４は、ドアホン親機２００の制御部２１２により実行される子−親間割込処理を示すフローチャートである。図１３および図１４では、ドアホン子機１００からの呼び出しに対してドアホン親機２００が応答し、ドアホン子機１００とドアホン親機２００との通信中にドアホン副親機３００が割込みをしてきたときのドアホン親機２００の動作について説明する。
【０１２１】
まず、Ｓ１３０１において、何れかのドアホン副親機からの割込信号が受信される。ここでは、ドアホン副親機３００からの割込信号が受信される。Ｓ１３０２において、割込みをしてきたドアホン副親機の台数がカウントされる。
【０１２２】
この実施の形態では、前述したようにドアホン親機２００とドアホン副親機との無線通信にブルートゥースが使用されており、最大７台までしか無線通信できず、割込みをしてきたドアホン副親機の台数を把握するため、割込みをしてきたドアホン副親機の台数がカウントされる。また、音声の無線通信にブルートゥースのＳＣＯリンクが使用されているので１対１の通信しか行なうことができず、ドアホン親機２００により最初に割込信号が受信されたドアホン副親機に音声信号を送信するための処理である。
【０１２３】
Ｓ１３０３において、Ｓ１３０１でドアホン副親機３００から送信されてきた割込信号を受信したことにより、制御部２１２で予め記憶されている文字データまたは画像データを示す信号が表示部２０７に送信される。その結果、たとえば、表示部２０７には「ドアホン副親機３００から割込みあり」と文章が表示される。あるいは、表示部２０７に割込みを表すアイコンや画像等を表示してもよい。Ｓ１３０４において、ドアホン子機１００とドアホン親機２００との通信中に割込みがかかったことをドアホン親機２００の利用者に報知するためにＬＥＤ２１６が点灯される。
【０１２４】
このようにすると、ドアホン親機２００の利用者は、ドアホン子機１００との通信中にドアホン副親機３００から割込みがあったことを視認することができる。なお、ドアホン子機１００とドアホン親機２００との通信中に割込みがかかったことをドアホン親機２００の利用者に報知する手段としては、ＬＥＤ２１６を点灯させるものには限られず、たとえば、スピーカ部２０８から報知音を鳴らすものであってもよい。
【０１２５】
Ｓ１３０５において、無線送信部２１３を介してドアホン副親機３００にドアホン子機１００とドアホン親機２００とが通信中であることを示す信号が制御信号とともに送信される。Ｓ１３０６において、タイマ部２１５を初期化する処理が行なわれる。これは、ドアホン副親機３００から送信された割込信号を受信してから経過した時間を計測するために行なわれる。
【０１２６】
Ｓ１３０７において、ドアホン子機１００から送信されてきた映像信号が多重化分離化回路部２０６を介して受信される。Ｓ１３０８において、ドアホン子機１００から送信されてきた音声信号が多重化分離化回路部２０６を介して受信される。Ｓ１３０９において、無線送信部２１３を介して割込みをしたドアホン副親機３００に映像信号が送信される。この映像信号は、映像信号圧縮部２１０において圧縮処理がされた信号である。
【０１２７】
Ｓ１３１０において、カウント値を参照して最初に割込みをしたドアホン副親機（ここでは、ドアホン副親機３００）に無線送信部２１３を介して音声信号が送信される。それ以外のドアホン副親機には、Ｓ１３１０の処理は行なわれず、Ｓ１３１１の処理に進む。
【０１２８】
このようにすると、ドアホン子機１００とドアホン親機２００との通信中に最初に割込みをかけてきたドアホン副親機３００の利用者は来訪者の真の訪問対象の住人である可能性が高く、来訪者の真の訪問対象の住人である可能性が高いドアホン副親機３００にのみ音声信号を送信することによりドアホン親機２００の通信にかかる負担を軽減することができる。
【０１２９】
Ｓ１３１１において、Ｓ１３０７で受信した映像信号が表示部２０７に送信される。その結果、表示部２０７にはドアホン子機１００のカメラ部１０１で撮影された映像が表示される。Ｓ１３１２において、Ｓ１３０８で受信した音声信号がスピーカ部２０８に送信される。その結果、スピーカ部２０８にはドアホン子機１００のマイク部１０３に入力された音声が出力される。
【０１３０】
図１４のＳ１４０１において、ドアホン親機２００の利用者によりドアホン子機１００との通信をドアホン親機２００からドアホン副親機３００に切替えることを許可する通信切替許可信号が送信されたか否かが判断される。切替許可信号は、ドアホン親機２００の利用者が切替ＳＷ部２１７を操作したことにより送信される。
【０１３１】
また、割込みをしたドアホン副親機が複数台のとき、ドアホン親機２００の利用者により切替ＳＷ部２１７が１回押下されると表示部２０７に割込みをしたドアホン副親機の識別番号あるいはドアホン副親機を設置した場所を記載した文字データの一覧が表示される。これにより、ドアホン親機２００の利用者によりドアホン子機１００との通信を切替えるドアホン副親機の選択が可能となる。
【０１３２】
ドアホン副親機（ここでは、ドアホン副親機３００）に通信切替許可信号が送信されたときはＹｅｓの判断がなされ、Ｓ１４０８に進む。一方、ドアホン副親機３００に通信切替許可信号が送信されていないときはＮｏの判断がなされ、Ｓ１４０２に進む。
【０１３３】
これによれば、ドアホン親機２００の利用者が来訪者の真の訪問対象以外の住人である場合、ドアホン親機２００の利用者は割込みをかけてきたドアホン副親機３００にドアホン子機１００との通信を切替えることができる。また、ドアホン子機１００とドアホン親機２００との通信中に他のドアホン（ここでは、ドアホン副親機３００）から割込みがかかったときに、割込みをかけたドアホン副親機３００に自動的にドアホン子機１００との通信が切替えられてしまうテレビドアホンシステムとは異なり、ドアホン親機２００の利用者によってドアホン子機１００との通信をドアホン副親機３００に切替えるか否かを選択することができるため、急に通信が切替えられることを防止することができる。
【０１３４】
ここでは、図１２から図１４までを参照して、ドアホン子機１００とドアホン親機２００との通信中にドアホン副親機３００が割込みをしたときに、ドアホン子機１００との通信がドアホン親機２００からドアホン副親機３００に切替わるときのテレビドアホンシステムの動作について説明しているので、Ｓ１４０８に進むときの説明を行なう。
【０１３５】
Ｓ１４０８において、ドアホン親機２００が待機状態に移行される。また、割込みをしたドアホン副親機が複数台のときに通信切替許可信号が送信されていないドアホン副親機（ここでは、ドアホン副親機４００）に待機信号が送信される。たとえば、通信切替許可信号が送信されたドアホン副親機３００を識別番号を制御部２１２に記憶しておき、それ以外の識別番号を有するドアホン副親機に待機信号が送信される。
【０１３６】
このようにすると、ドアホン副親機３００の住人の会話はドアホン親機３００の利用者およびドアホン副親機４００の利用者に聞かれなくなるため、プライバシーの保護を図ることができる。また、ドアホン子機１００からの映像信号の映像がドアホン親機２００の表示部２０７およびドアホン副親機４００の表示部４２２に表示されず、音声信号の音声がドアホン親機２００のスピーカ部２０８およびドアホン副親機４００のスピーカ部４２３に出力されないため、ドアホン親機２００およびドアホン副親機４００の消費電力を抑えることができる。
【０１３７】
Ｓ１４０９において、割込みをしたドアホン副親機の台数のカウント値を初期化する処理が行なわれる。Ｓ１４１０において、ドアホン子機１００とドアホン親機２００との通信に割込みがかかったことをドアホン親機２００の利用者に報知するために点灯されていたＬＥＤ２１６が消灯される。Ｓ１４１１において、図８に示すドアホン親機２００の通信処理２が実行される。図８は前述したので、ここでは説明を繰り返さない。
【０１３８】
以上が、ドアホン子機１００からの呼び出しに対してドアホン親機２００が応答し、ドアホン子機１００とドアホン親機２００との通信中にドアホン副親機３００が割込みをして、ドアホン子機１００との通信がドアホン親機２００からドアホン副親機３００に切替わるときのテレビドアホンシステムの動作についての説明である。
【０１３９】
次に、再び図１２から図１４までを参照して、ドアホン子機１００からの呼び出しに対してドアホン親機２００が応答し、ドアホン子機１００とドアホン親機２００との通信中にドアホン副親機３００が割込みをしたにもかかわらず、ドアホン親機２００の利用者により切替ＳＷ部２１７が操作されずにドアホン子機１００との通信がドアホン親機２００からドアホン副親機３００に切替わらないときのテレビドアホンシステムの動作について説明する。
【０１４０】
まず、図１２を参照して、Ｓ１２１０において、Ｎｏの判断がなされ、Ｓ１２１１に進むときの説明を行なう。Ｓ１２０１からＳ１２１０までは前述したので、ここでは説明を繰り返さない。Ｓ１２１１において、ドアホン親機２００から送信されてきた待機信号が無線受信部３１７を介して受信されたか否かが判断される。この判断は、たとえば、ドアホン親機２００のタイマ部２１５において計測されている時間が予め定められている時間に達するまで実行される。
【０１４１】
待機信号が受信されたときはＹｅｓの判断がなされ、Ｓ１２１２に進む。一方、待機信号が受信されていないときはＮｏの判断がなされ、Ｓ１２０６に戻る。Ｓ１２１２において、Ｓ１２１１でドアホン親機２００からの待機信号を受信したと判断されたことにより、ドアホン副親機３００が待機状態に移行される。
【０１４２】
このようにすると、ドアホン親機２００で応答した住人の会話はドアホン副親機３００の利用者に聞かれなくなるため、プライバシーの保護を図ることができる。また、ドアホン子機１００からの映像信号の映像が表示部３２２に表示されず、音声信号の音声がスピーカ部３２３に出力されないため、ドアホン副親機３００の消費電力を抑えることができる。
【０１４３】
Ｓ１２１３において、ドアホン子機１００とドアホン親機２００との通信に割込中であることをドアホン副親機３００の利用者に報知するために点灯されていたＬＥＤ３２５が消灯され、この処理は終了する。
【０１４４】
次に、図１３および図１４を参照して、Ｓ１４０１において、Ｎｏの判断がされ、Ｓ１４０２に進むときの説明を行なう。図１３のＳ１３０１からＳ１３１２までの処理は前述したので、ここでは説明を繰り返さない。Ｓ１４０２において、タイマ部２１５において計測されている時間が予め定められている時間（たとえば、ドアホン副親機３００から割込信号を受信してから３０秒）を経過したか否かが判断される。予め定められている時間を経過したときはＹｅｓの判断がなされ、Ｓ１４０３に進む。一方、予め定められている時間が経過していないときはＮｏの判断がなされ、図１３のＳ１３０７に戻る。
【０１４５】
Ｓ１４０２において、予め定められている時間が経過していると判断されたときは、ドアホン親機２００の利用者がドアホン子機１００との通信をドアホン親機２００からドアホン副親機３００に切替える意思がないと判断され、Ｓ１４０３において、無線送信部２１３を介してドアホン副親機３００に待機信号が送信される。Ｓ１４０４において、割込みしたドアホン副親機の台数のカウント値を初期化する処理が行なわれる。Ｓ１４０５において、ドアホン子機１００とドアホン親機２００との通信に割込みがかかったことをドアホン親機２００の利用者に報知するために点灯されていたＬＥＤ２１６が消灯される。
【０１４６】
Ｓ１４０６において、無線受信部２１４を介して何れかのドアホン副親機（ここではドアホン副親機３００）からの割込信号を受信したか否かが判断される。何れかのドアホン副親機（ここではドアホン副親機３００）からの割込信号を受信したときはＹｅｓの判断がなされ、図１３のＳ１３０２の処理に戻る。一方、何れかのドアホン副親機からの割込信号を受信していないときはＮｏの判断がなされ、Ｓ１４０７に進む。Ｓ１４０７において、図１１に示すドアホン親機２００の通信処理１が実行される。図１１は前述したので、ここでは説明を繰り返さない。
【０１４７】
以上が、ドアホン子機１００からの呼び出しに対してドアホン親機２００が応答し、ドアホン子機１００とドアホン親機２００との通信中にドアホン副親機３００が割込みをしたにもかかわらず、ドアホン親機２００の利用者により切替ＳＷ部２１７が操作されずにドアホン子機１００との通信がドアホン親機２００からドアホン副親機３００に切替わらないときのテレビドアホンシステムの動作についての説明である。
【０１４８】
次に、図１５から図１７までを参照して、ドアホン子機１００からの呼び出しに対してドアホン副親機３００が応答し、ドアホン子機１００とドアホン副親機３００との通信中にドアホン親機２００が割込みをして、ドアホン子機１００との通信がドアホン副親機３００からドアホン親機２００に切替わるときのテレビドアホンシステムの動作について説明する。
【０１４９】
図１５および図１６は、ドアホン親機２００の制御部２１２により実行される子−副親間割込処理を示すフローチャートである。図１５および図１６の処理は、ドアホン子機１００とドアホン副親機３００との通信中にドアホン親機２００の利用者により呼出応答ＳＷ部２１１が操作され、割込みが検知されたときに実行される。
【０１５０】
まず、Ｓ１５０１において、ドアホン親機２００の利用者により呼出応答ＳＷ部２１１を押下する等の操作がされたことにより、割込が検知される。Ｓ１５０２において、無線送信部２１３を介してドアホン副親機３００に割込信号が制御信号とともに送信される。この割込信号は、割込みの検知に基づいて、たとえば制御部２１２により生成される。
【０１５１】
Ｓ１５０３において、制御部２１２で予め記憶されている文字データまたは画像データを示す信号が表示部２０７に送信される。その結果、たとえば、表示部２０７には「ドアホン子機１００とドアホン副親機３００とが現在通信中」である旨が文章で表示される。あるいは、表示部２０７に通信中を表すアイコンや画像等を表示してもよい。Ｓ１５０４において、ドアホン子機１００とドアホン副親機３００との通信に割込中であることをドアホン親機２００の利用者に報知するためにＬＥＤ２１６が点灯される。
【０１５２】
このようにすると、割込みをかけたドアホン親機２００の利用者は、いずれのドアホン（ドアホン副親機３００あるいはドアホン副親機４００）がドアホン子機１００と通信中であるか視認することができる。
【０１５３】
Ｓ１５０５において、タイマ部２１５を初期化する処理が行なわれる。これは、ドアホン親機２００が割込みをしてから経過した時間を計測するためである。Ｓ１５０６において、ドアホン子機１００から送信されてきた映像信号が多重化分離化回路部２０６を介して受信される。Ｓ１５０７において、ドアホン子機１００から送信されてきた音声信号が多重化分離化回路部２０６を介して受信される。
【０１５４】
Ｓ１５０８において、無線送信部２１３を介してドアホン副親機３００に映像信号が送信される。この映像信号は、映像信号圧縮部２１０において圧縮処理がされた信号である。Ｓ１５０９において、無線送信部２１３を介してドアホン副親機３００に音声信号が送信される。
【０１５５】
Ｓ１５１０において、Ｓ１５０６で受信した映像信号が表示部２０７に送信される。その結果、表示部２０７にはドアホン子機１００のカメラ部１０１で撮影された映像が表示される。Ｓ１５１１において、Ｓ１５０７で受信した音声信号がスピーカ部２０８に送信される。その結果、スピーカ部２０８にはドアホン子機１００のマイク部１０３に入力された音声が出力される。
【０１５６】
これによれば、ドアホン子機１００とドアホン副親機３００との通信中においても、ドアホン親機２００の利用者が来訪者を確認することができる。
【０１５７】
なお、表示部２０７に表示された来訪者の映像あるいはスピーカ部２０８に出力された来訪者の音声からドアホン親機２００の利用者が来訪者の訪問対象以外の住人であると判断したときは、たとえば、再びドアホン親機２００の利用者により呼出応答ＳＷ部２１１が操作されることによりドアホン子機１００とドアホン副親機３００との通信への割込みを終了できるようにしてもよい。
【０１５８】
Ｓ１５１２において、ドアホン副親機３００から送信されてきた音声信号が無線受信部２１４を介して受信される。Ｓ１５１３において、多重化分離化回路部２０６を介してドアホン子機１００にＳ１５１２で受信した音声信号が送信される。
【０１５９】
図１６のＳ１６０１において、ドアホン副親機３００の利用者により切替ＳＷ部３２６が操作されたことにより発生するドアホン子機１００との通信をドアホン副親機３００からドアホン親機２００に切替えることを許可する通信切替許可信号が受信されたか否かが判断される。通信切替許可信号が受信されたときはＹｅｓの判断がなされ、Ｓ１６０６に進む。一方、通信切替許可信号が受信されていないときはＮｏの判断がなされ、Ｓ１６０２に進む。
【０１６０】
ここでは、図１５から図１７までを参照して、ドアホン子機１００からの呼び出しに対してドアホン副親機３００が応答し、ドアホン子機１００とドアホン副親機３００との通信中にドアホン親機２００が割込みをして、ドアホン子機１００との通信がドアホン副親機３００からドアホン親機２００に切替わるときのテレビドアホンシステムの動作について説明しているので、Ｓ１６０１において、Ｙｅｓの判断がなされ、Ｓ１６０６に進むときの説明を行なう。
【０１６１】
Ｓ１６０６において、無線送信部２１３を介してドアホン副親機３００およびドアホン副親機４００に待機信号が制御信号とともに送信される。Ｓ１６０７において、ドアホン子機１００とドアホン副親機３００との通信に割込中であることをドアホン親機２００の利用者に報知するために点灯されていたＬＥＤ２１６が消灯される。Ｓ１６０８において、図１１に示すドアホン親機２００の通信処理１が実行される。図１１は前述したので、ここでは説明を繰り返さない。
【０１６２】
図１７は、ドアホン副親機３００の制御部３２０により実行される子−副親間割込処理を示すフローチャートである。図１７では、ドアホン子機１００からの呼び出しに対してドアホン副親機３００が応答し、ドアホン子機１００とドアホン副親機３００との通信中にドアホン親機２００が割込みをしてきたときのドアホン副親機３００の動作について説明する。
【０１６３】
まず、Ｓ１７０１において、ドアホン親機２００から送信されてきた割込信号が無線受信部３１７を介して受信される。Ｓ１７０２において、Ｓ１７０１でドアホン親機２００からの割込信号を受信したことにより、制御部３２０で予め記憶されている文字データまたは画像データを示す信号が表示部３２２に送信される。その結果、たとえば、表示部３２２には「ドアホン親機２００から割込みあり」と文章が表示される。あるいは、表示部３２２に割込みを表すアイコンや画像等を表示してもよい。Ｓ１７０３において、ドアホン子機１００とドアホン副親機３００との通信中に割込みがかかったことをドアホン副親機３００の利用者に報知するためにＬＥＤ３２５が点灯される。
【０１６４】
このようにすると、ドアホン副親機３００に利用者は、ドアホン子機１００との通信中にドアホン親機２００から割込みがあったことを視認することができる。なお、ドアホン子機１００とドアホン副親機３００との通信中に割込みがかかったことをドアホン副親機３００の利用者に報知する手段としては、ＬＥＤ３２５を点灯させるものには限られず、たとえば、スピーカ部３２３から報知音を鳴らすものであってもよい。
【０１６５】
Ｓ１７０４において、ドアホン親機２００から送信されてきた映像信号が無線受信部３１７を介して受信される。この映像信号は、映像信号圧縮部２１０において圧縮処理がされた信号である。Ｓ１７０５において、ドアホン親機２００から送信されてきた音声信号が無線受信部３１７を介して受信される。
【０１６６】
Ｓ１７０６において、Ｓ１７０４で受信した映像信号が表示部３２２に送信される。その結果、表示部３２２にはドアホン子機１００のカメラ部１０１で撮影された映像が表示される。この映像信号は、映像信号伸張部３２１において伸張処理がされた信号である。
【０１６７】
Ｓ１７０７において、Ｓ１７０５で受信した音声信号がスピーカ部３２３に送信される。その結果、スピーカ部３２３にはドアホン子機１００のマイク部１０３に入力された音声が出力される。Ｓ１７０８において、無線送信部３１８を介してドアホン親機２００にマイク部３２４に入力された音声の音声信号が送信される。
【０１６８】
Ｓ１７０９において、ドアホン副親機３００の利用者によりドアホン子機１００との通信をドアホン副親機３００からドアホン親機２００に切替えることを許可する通信切替許可信号が送信されたか否かが判断される。通信切替許可信号は、ドアホン副親機３００の利用者が切替ＳＷ部３２６を操作したことにより発生する。
【０１６９】
ドアホン親機２００に通信切替許可信号が送信されたときはＹｅｓの判断がなされ、Ｓ１７１２に進む。一方、ドアホン親機２００に通信切替許可信号が送信されていないときはＮｏの判断がなされ、Ｓ１７１０に進む。
【０１７０】
これによれば、ドアホン副親機３００の利用者が来訪者の真の訪問対象以外の住人である場合、ドアホン副親機３００の利用者は割込みをかけてきたドアホン親機２００にドアホン子機１００との通信を切替えることができる。また、ドアホン子機１００とドアホン副親機３００との通信中に他のドアホン（ここでは、ドアホン親機２００）から割込みがかかったときに、割込みをかけたドアホン親機２００に自動的にドアホン子機１００との通信が切替えられてしまうテレビドアホンシステムとは異なり、ドアホン副親機３００の利用者によってドアホン子機１００との通信をドアホン親機２００に切替えるか否かを選択することができるため、急に通信が切替えられることを防止することができる。
【０１７１】
ここでは、図１５から図１７までを参照して、ドアホン子機１００からの呼び出しに対してドアホン副親機３００が応答し、ドアホン子機１００とドアホン副親機３００との通信中にドアホン親機２００が割込みをして、ドアホン子機１００との通信がドアホン副親機３００からドアホン親機２００に切替わるときのテレビドアホンシステムの動作について説明しているので、Ｓ１７１２に進むときの説明を行なう。
【０１７２】
Ｓ１７１２において、ドアホン親機２００から送信されてきた待機信号が無線受信部３１７を介して受信される。Ｓ１７１３において、Ｓ１７１２で待機信号を受信したことによりドアホン副親機３００が待機状態に移行される。
【０１７３】
このようにすると、ドアホン親機２００の住人の会話はドアホン副親機３００の利用者に聞かれなくなるため、プライバシーの保護を図ることができる。また、ドアホン子機１００からの映像信号の映像が表示部３２２に表示されず、音声信号の音声がスピーカ部３２３に出力されないため、ドアホン副親機３００の消費電力を抑えることができる。
【０１７４】
Ｓ１７１４において、ドアホン子機１００とドアホン副親機３００との通信に割込みがかかったことをドアホン副親機３００の利用者に報知するために点灯されていたＬＥＤ３２５が消灯される。
【０１７５】
以上が、ドアホン子機１００からの呼び出しに対してドアホン副親機３００が応答し、ドアホン子機１００とドアホン副親機３００との通信中にドアホン親機２００が割込みをして、ドアホン子機１００との通信がドアホン副親機３００からドアホン親機２００に切替わるときのテレビドアホンシステムの動作についての説明である。
【０１７６】
次に、再び図１５から図１７までを参照して、ドアホン子機１００からの呼び出しに対してドアホン副親機３００が応答し、ドアホン子機１００とドアホン副親機３００との通信中にドアホン親機２００が割込みをしたにもかかわらず、ドアホン副親機３００の利用者により切替ＳＷ部３２６が操作されずにドアホン子機１００との通信がドアホン副親機３００からドアホン親機２００に切替わらないときのテレビドアホンシステムの動作について説明する。
【０１７７】
まず、図１５および図１６を参照して、図１６のＳ１６０１において、Ｎｏの判断がなされ、Ｓ１６０２に進むときの説明を行なう。図１５のＳ１５０１からＳ１５１３までは前述したので、ここでは説明を繰り返さない。Ｓ１６０２において、タイマ部２１５において計測されている時間が予め定められている時間（たとえば、ドアホン親機２００が割込信号を送信してか３０秒）を経過したか否かが判断される。予め定められている時間が経過したときはＹｅｓの判断がなされ、Ｓ１６０２に進む。一方、予め定められている時間が経過していないときはＮｏの判断がなされ、図１５のＳ１５０６に戻る。
【０１７８】
Ｓ１６０２において、予め定められている時間が経過していると判断されたときは、ドアホン副親機３００の利用者がドアホン子機１００との通信をドアホン副親機３００からドアホン親機２００に切替える意思がないと判断され、Ｓ１６０３において、ドアホン親機２００が待機状態に移行される。
【０１７９】
このようにすると、ドアホン副親機３００で応答した住人の会話はドアホン親機２００の利用者に聞かれなくなるため、プライバシーの保護を図ることができる。また、ドアホン子機１００からの映像信号の映像が表示部２０７に表示されず、音声信号の音声がスピーカ部２０８に出力されないため、ドアホン親機２００の消費電力を抑えることができる。
【０１８０】
Ｓ１６０４において、ドアホン子機１００とドアホン副親機３００との通信に割込中であることをドアホン親機２００の利用者に報知するために点灯されていたＬＥＤ２１６が消灯される。Ｓ１６０５において、図８に示すドアホン親機２００の通信処理２が実行される。図８は前述したので、ここでは説明を繰り返さない。
【０１８１】
次に、図１７を参照して、Ｓ１７０９において、Ｎｏの判断がなされ、Ｓ１７１０に進むときの説明を行なう。Ｓ１７０１からＳ１７０９までは前述したので、ここでは説明を繰り返さない。Ｓ１７１０において、ドアホン子機１００とドアホン副親機３００との通信に割込みがかかったことをドアホン副親機３００の利用者に報知するために点灯されていたＬＥＤ３２５が消灯される。Ｓ１７１１において、図６に示すドアホン副親機３００の通信処理が実行される。図６は前述したので、ここでは説明を繰り返さない。
【０１８２】
以上が、ドアホン子機１００からの呼び出しに対してドアホン副親機３００が応答し、ドアホン子機１００とドアホン副親機３００との通信中にドアホン親機２００が割込みをしたにもかかわらず、ドアホン副親機３００の利用者により切替ＳＷ部３２６が操作されずにドアホン子機１００との通信がドアホン副親機３００からドアホン親機２００に切替わらないときのテレビドアホンシステムの動作についての説明である。
【０１８３】
次に図１８から図２１までを参照して、ドアホン子機１００からの呼び出しに対してドアホン副親機３００が応答し、ドアホン子機１００とドアホン副親機３００との通信中にドアホン副親機４００が割込みをして、ドアホン子機１００との通信がドアホン副親機３００からドアホン副親機４００に切替わるときのテレビドアホンシステムの動作について説明する。
【０１８４】
図１８は、ドアホン副親機４００の制御部４２０により実行される子−副親間割込み処理を示すフローチャートである。図１８の処理は、ドアホン子機１００とドアホン副親機３００との通信中にドアホン副親機４００の利用者により呼出応答ＳＷ部４１９が操作され、割込みが検知されたときに実行される。ドアホン副親機４００の利用者により呼出応答ＳＷ部４１９を押下する等の操作がされたことにより発生した割込信号が検知される。この割込信号は、割込みの検知に基づいて、たとえば制御部４２０により生成される。
【０１８５】
Ｓ１８０２において、無線送信部４１８を介してドアホン親機２００に割込信号が制御信号とともに送信される。Ｓ１８０３において、ドアホン親機２００から送信されてきたドアホン子機１００とドアホン副親機３００とが通信中であることを示す信号が無線受信部４１７を介して受信される。
【０１８６】
Ｓ１８０４において、Ｓ１８０３でドアホン子機１００とドアホン副親機３００とが通信中であることを示す信号を受信したことにより、制御部４２０で予め記憶されている文字データまたは画像データを示す信号が表示部４２２に送信される。その結果、たとえば、表示部４２２には「ドアホン子機１００とドアホン副親機３００とが現在通信中」である旨が文章で表示される。あるいは、表示部４２２に通信中を表すアイコンや画像等を表示してもよい。Ｓ１８０５において、ドアホン子機１００とドアホン副親機３００との通信に割込中であることをドアホン副親機４００の利用者に報知するためにＬＥＤ４２５が点灯される。
【０１８７】
このようにすると、割込みをかけたドアホン副親機４００の利用者は、いずれのドアホン（ドアホン親機２００あるいはドアホン副親機３００）がドアホン子機１００と通信中であるか視認することができる。
【０１８８】
Ｓ１８０６において、ドアホン親機２００から送信されてきた映像信号が無線受信部４１７を介して受信される。Ｓ１８０７において、Ｓ１８０６で受信された映像信号が表示部４２２に送信される。その結果、表示部４２２にはドアホン子機１００のカメラ部１０１で撮影された映像が表示される。この映像信号は、映像信号伸張部４２１において伸張処理がされた信号である。
【０１８９】
これによれば、ドアホン子機１００とドアホン副親機３００との通信中においても、ドアホン副親機４００の利用者が来訪者を確認することができる。
【０１９０】
なお、表示部４２２に表示された来訪者の映像あるいはスピーカ部４２３に出力された来訪者の音声からドアホン副親機４００の利用者が来訪者の訪問対象以外の住人であると判断したときは、たとえば、再びドアホン副親機４００の利用者により呼出応答ＳＷ部４１９が操作されることによりドアホン子機１００とドアホン副親機３００との通信への割込みを終了できるようにしてもよい。
【０１９１】
Ｓ１８０８において、ドアホン副親機３００の利用者により切替ＳＷ部３２６が操作されたことにより発生するドアホン子機１００との通信をドアホン副親機３００からドアホン副親機４００に切替えることを許可する通信切替許可信号が受信されたか否かが判断される。通信切替許可信号が受信されたときはＹｅｓの判断がなされ、Ｓ１８１２に進む。一方、通信切替許可信号が受信されていないときはＮｏの判断がなされ、Ｓ１８０９に進む。
【０１９２】
ここでは、図１８から図２１までを参照して、ドアホン子機１００からの呼び出しに対してドアホン副親機３００が応答し、ドアホン子機１００とドアホン副親機３００との通信中にドアホン副親機４００が割込みをして、ドアホン子機１００との通信がドアホン副親機３００からドアホン副親機４００に切替わるときのテレビドアホンシステムの動作について説明しているので、Ｓ１８０８において、Ｙｅｓの判断がなされ、Ｓ１８１２に進むときの説明を行なう。
【０１９３】
Ｓ１８１２において、ドアホン子機１００とドアホン副親機３００との通信に割込中であることをドアホン副親機４００の利用者に報知するために点灯されていたＬＥＤ４２５が消灯される。Ｓ１８１３において、図６に示すドアホン副親機４００の通信処理が実行される。図６は前述したので、ここでは説明を繰り返さない。
【０１９４】
図１９および図２０は、ドアホン親機２００の制御部２１２により実行される子−副親間割込処理を示すフローチャートである。図１９および図２０の処理では、ドアホン子機１００からの呼び出しに対してドアホン副親機３００が応答し、ドアホン子機１００とドアホン副親機３００との通信中にドアホン副親機４００が割込みをしてきたときのドアホン親機２００の動作について説明する。
【０１９５】
まず、Ｓ１９０１において、ドアホン副親機４００から送信されてきた割込信号が無線受信部４１７を介して受信される。Ｓ１９０２において、Ｓ１９０１でドアホン副親機４００から送信されてきた割込信号を受信したことにより、無線送信部２１３を介してドアホン副親機３００に割込信号が送信される。
【０１９６】
Ｓ１９０３において、無線送信部２１３を介してドアホン副親機４００にドアホン子機１００とドアホン副親機３００とが通信中であることを示す信号が制御信号とともに送信される。Ｓ１９０４において、タイマ部２１５を初期化する処理が行なわれる。これは、ドアホン副親機４００から送信された割込信号を受信してから経過した時間を計測するために行なわれる。
【０１９７】
Ｓ１９０５において、ドアホン子機１００から送信されてきた映像信号が多重化分離化回路部２０６を介して受信される。Ｓ１９０６において、ドアホン子機１００から送信されてきた音声信号が多重化分離化回路部２０６を介して受信される。Ｓ１９０７において、無線送信部２１３を介して映像信号が送信される。この映像信号は、映像信号圧縮部２１０において圧縮処理がされた信号である。Ｓ１９０８において、無線送信部２１３を介して音声信号が送信される。
【０１９８】
Ｓ１９０９において、無線送信部２１３を介して割込みをしたドアホン副親機４００に映像信号が送信される。この映像信号は、映像信号圧縮部２１０において圧縮処理がされた信号である。Ｓ１９１０において、ドアホン副親機３００から送信されてきた音声信号が無線受信部２１４を介して受信される。Ｓ１９１１において、多重化分離化回路部２０６を介してドアホン子機１００にＳ１９１０で受信した音声信号が送信される。
【０１９９】
図２０のＳ２００１において、ドアホン副親機３００の利用者により切替ＳＷ部３２６が操作されたことにより発生するドアホン子機１００との通信をドアホン副親機３００からドアホン副親機４００に切替えることを許可する通信切替許可信号が受信されたか否かが判断される。通信切替許可信号が受信されたときはＹｅｓの判断がなされ、Ｓ２００５に進む。一方、通信切替許可信号が受信されていないときはＮｏの判断がなされ、Ｓ２００２に進む。
【０２００】
ここでは、図１８から図２１までを参照して、ドアホン子機１００からの呼び出しに対してドアホン副親機３００が応答し、ドアホン子機１００とドアホン副親機３００との通信中にドアホン副親機４００が割込みをして、ドアホン子機１００との通信がドアホン副親機３００からドアホン副親機４００に切替わるときのテレビドアホンシステムの動作について説明しているので、Ｓ２００１において、Ｙｅｓの判断がなされ、Ｓ２００５に進むときの説明を行なう。
【０２０１】
Ｓ２００５において、無線送信部２１３を介してドアホン副親機３００に待機信号が制御信号とともに送信される。Ｓ２００６において、図８に示すドアホン親機２００の通信処理２が実施される。図８は前述したので、ここでは説明を繰り返さない。
【０２０２】
図２１は、ドアホン副親機３００の制御部３２０により実行される割込処理を示すフローチャートである。図２１の処理では、ドアホン子機１００からの呼び出しに対してドアホン副親機３００が応答し、ドアホン子機１００とドアホン副親機３００との通信中にドアホン副親機４００が割込みをしてきたときのドアホン副親機３００の動作について説明する。
【０２０３】
まず、Ｓ２１０１において、ドアホン副親機４００から送信されてきた割込信号がドアホン親機２００を介して受信される。Ｓ２１０２において、Ｓ２１０１でドアホン副親機４００から送信されてきた割込信号を受信したことにより、制御部３２０で予め記憶されている文字データまたは画像データを示す信号が表示部３２２に送信される。その結果、たとえば、表示部３２２には「ドアホン副親機４００から割込みあり」と文章が表示される。あるいは、表示部３２２に割込みを表すアイコンや画像等を表示してもよい。Ｓ２１０３において、ドアホン子機１００とドアホン副親機３００との通信中に割込みがかかったことをドアホン副親機３００の利用者に報知するためにＬＥＤ３２５が点灯される。
【０２０４】
このようにすると、ドアホン副親機３００に利用者は、ドアホン子機１００との通信中にドアホン副親機４００から割込みがあったことを視認することができる。なお、ドアホン子機１００とドアホン副親機３００との通信中に割込みがかかったことをドアホン副親機３００の利用者に報知する手段としては、ＬＥＤ３２５を点灯させるものには限られず、たとえば、スピーカ部３２３から報知音を鳴らすものであってもよい。
【０２０５】
Ｓ２１０４において、ドアホン親機２００から送信されてきた映像信号が無線受信部３１７を介して受信される。この映像信号は映像信号圧縮部２１０において圧縮処理がされた信号である。Ｓ２１０５において、ドアホン親機２００から送信されてきた音声信号が無線受信部３１７を介して受信される。
【０２０６】
Ｓ２１０６において、Ｓ２１０４で受信した映像信号が表示部３２２に送信される。その結果、表示部３２２にはドアホン子機１００のカメラ部１０１で撮影された映像が表示される。この映像信号は、映像信号伸張部３２１において伸張処理がされた信号である。
【０２０７】
Ｓ２１０７において、Ｓ２１０５で受信した音声信号がスピーカ部３２３に送信される。その結果、スピーカ部３２３にはドアホン子機１００のマイク部１０３に入力された音声が出力される。Ｓ２１０８において、無線送信部３１８を介してドアホン親機２００にマイク部３２４に入力された音声の音声信号が送信される。
【０２０８】
Ｓ２１０９において、ドアホン副親機３００の利用者によりドアホン子機１００との通信をドアホン副親機３００からドアホン副親機４００に切替えることを許可する通信切替許可信号が送信されたか否かが判断される。通信切替許可信号は、ドアホン副親機３００の利用者が切替ＳＷ部３２６を操作したことにより発生する。
【０２０９】
ドアホン親機２００に通信切替許可信号が送信されたときはＹｅｓの判断がなされ、Ｓ２１１２に進む。一方、ドアホン親機２００に通信切替許可信号が送信されていないときはＮｏの判断がなされ、Ｓ２１１０に進む。ドアホン副親機３００からの通信切替許可信号を受信したドアホン親機２００は、ドアホン子機１００との通信をドアホン副親機３００からドアホン副親機４００に切替える制御を実行する。
【０２１０】
これによれば、ドアホン副親機３００の利用者が来訪者の真の訪問対象以外の住人である場合、ドアホン副親機３００の利用者は割込みをかけてきたドアホン副親機４００にドアホン子機１００との通信を切替えることができる。また、ドアホン子機１００とドアホン副親機３００との通信中に他のドアホン（ここでは、ドアホン副親機４００）から割込みがかかったときに、割込みをかけたドアホン副親機４００に自動的にドアホン子機１００との通信が切替えられてしまうテレビドアホンシステムとは異なり、ドアホン副親機３００の利用者によってドアホン子機１００との通信をドアホン副親機４００に切替えるか否かを選択することができるため、急に通信が切替えられることを防止することができる。
【０２１１】
ここでは、図１８から図２１までを参照して、ドアホン子機１００からの呼び出しに対してドアホン副親機３００が応答し、ドアホン子機１００とドアホン副親機３００との通信中にドアホン副親機４００が割込みをして、ドアホン子機１００との通信がドアホン副親機３００からドアホン副親機４００に切替わるときのテレビドアホンシステムの動作について説明しているので、Ｓ２１０９において、Ｙｅｓの判断がなされ、Ｓ２１１２に進むときの説明を行なう。
【０２１２】
Ｓ２１１２において、ドアホン親機２００から送信されてきた待機信号が無線受信部３１７を介して受信される。Ｓ２１１３において、Ｓ２１１２で待機信号を受信したことによりドアホン副親機３００が待機状態に移行される。
【０２１３】
このようにすると、ドアホン副親機４００の住人の会話はドアホン副親機３００の利用者に聞かれなくなるため、プライバシーの保護を図ることができる。また、ドアホン子機１００からの映像信号の映像が表示部３２２に表示されず、音声信号の音声がスピーカ部３２３に出力されないため、ドアホン副親機３００の消費電力を抑えることができる。
【０２１４】
Ｓ２１１４において、ドアホン子機１００とドアホン副親機３００との通信に割込みがかかったことをドアホン副親機３００の利用者に報知するために点灯されていたＬＥＤ３２５が消灯される。
【０２１５】
以上が、ドアホン子機１００からの呼び出しに対してドアホン副親機３００が応答し、ドアホン子機１００とドアホン副親機３００との通信中にドアホン副親機４００が割込みをして、ドアホン子機１００との通信がドアホン副親機３００からドアホン副親機４００に切替わるときのテレビドアホンシステムの動作についての説明である。
【０２１６】
次に、再び図１８から図２１までを参照して、ドアホン子機１００からの呼び出しに対してドアホン副親機３００が応答し、ドアホン子機１００とドアホン副親機３００との通信中にドアホン副親機４００が割込みをしたにもかかわらず、ドアホン副親機３００の利用者により切替ＳＷ部３２６が操作されずにドアホン子機１００との通信がドアホン副親機３００からドアホン副親機４００に切替わらないときのテレビドアホンシステムの動作について説明する。
【０２１７】
まず、図１８を参照して、Ｓ１８０８において、Ｎｏの判断がなされ、Ｓ１８０９に進むときの説明を行なう。Ｓ１８０１からＳ１８０８までは前述したので、ここでは説明を繰り返さない。Ｓ１８０９において、無線受信部３１７を介してドアホン親機２００からの待機信号が受信されたか否かが判断される。この判断は、たとえば、ドアホン親機２００のタイマ部２１５において計測されている時間が予め定められている時間に達するまで実行される。
【０２１８】
待機信号が受信されたときはＹｅｓの判断がなされ、Ｓ１８１０に進む。一方、待機信号が受信されていないときはＮｏの判断がなされ、Ｓ１８０６に戻る。Ｓ１８１０において、Ｓ１８０９でドアホン親機２００からの待機信号が受信されたと判断されたことにより、ドアホン副親機４００が待機状態に移行される。
【０２１９】
このようにすると、ドアホン親機３００で応答した住人の会話はドアホン副親機４００の利用者に聞かれなくなるため、プライバシーの保護を図ることができる。また、ドアホン子機１００からの映像信号の映像が表示部４２２に表示されず、音声信号の音声がスピーカ部４２３に出力されないため、ドアホン副親機４００の消費電力を抑えることができる。
【０２２０】
Ｓ１８１１において、ドアホン子機１００とドアホン副親機３００との通信に割込中であることをドアホン副親機４００の利用者に報知するために点灯されていたＬＥＤ４２５が消灯され、この処理は終了する。
【０２２１】
次に、図１９および図２０を参照して、図２０のＳ２００１において、Ｎｏの判断がされ、Ｓ２００２に進むときの説明を行なう。図１９のＳ１９０１からＳ１９１１までの処理は前述したので、ここでは説明を繰り返さない。Ｓ２００２において、タイマ部２１５において計測されている時間が予め定められている時間（たとえば、ドアホン副親機４００から割込信号を受信してから３０秒）を経過したか否かが判断される。予め定められている時間が経過したときはＹｅｓの判断がなされ、Ｓ２００３に進む。一方、予め定められている時間が経過していないときはＮｏの判断がなされ、図１９のＳ１９０５に戻る。
【０２２２】
ここでは、ドアホン子機１００との通信がドアホン副親機３００からドアホン副親機４００に切替える制御が実行されないので、Ｓ２００３において、無線送信部２１３を介してドアホン副親機４００に待機信号が制御信号とともに送信される。Ｓ２００４において、図８に示すドアホン親機２００の通信処理２が実行される。図８は前述したので、ここでは説明を繰り返さない。
【０２２３】
次に、図２１を参照して、Ｓ２１０９において、Ｎｏの判断がなされ、Ｓ２１１０に進むときの説明を行なう。Ｓ２１０１からＳ２１０９までは前述したので、ここでは説明を繰り返さない。Ｓ２１１０において、ドアホン子機１００とドアホン副親機３００との通信に割込みがかかったことをドアホン副親機３００の利用者に報知するために点灯されていたＬＥＤ３２５が消灯される。Ｓ２１１１において、図６に示すドアホン副親機３００の通信処理が実行される。図６は前述したので、ここでは説明を繰り返さない。
【０２２４】
以上が、ドアホン子機１００からの呼び出しに対してドアホン副親機３００が応答し、ドアホン子機１００とドアホン副親機３００との通信中にドアホン副親機４００が割込みをしたにもかかわらず、ドアホン副親機３００の利用者により切替ＳＷ部３２６が操作されずにドアホン子機１００との通信がドアホン副親機３００からドアホン副親機４００に切替わらないときのテレビドアホンシステムの動作についての説明である。
【０２２５】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０２２６】
【図１】テレビドアホンシステムを示すブロック図である。
【図２】ドアホン子機により実行される呼出処理を示すフローチャートである。
【図３】ドアホン親機の制御部により実行される呼出処理を示すフローチャートである。
【図４】ドアホン副親機の制御部により実行される呼出処理を示すフローチャートである。
【図５】ドアホン副親機の制御部により実行される応答処理を示すフローチャートである。
【図６】ドアホン副親機の制御部により実行される通信処理を示すフローチャートである。
【図７】ドアホン親機の制御部により実行される応答処理を示すフローチャートである。
【図８】ドアホン親機の制御部により実行される通話処理２を示すフローチャートである。
【図９】ドアホン副親機の制御部により実行される待機処理を示すフローチャートである。
【図１０】ドアホン子機により実行される通信処理を示すフローチャートである。
【図１１】ドアホン親機の制御部により実行される通話処理１を示すフローチャートである。
【図１２】ドアホン副親機の制御部により実行される子−親間割込処理を示すフローチャートである。
【図１３】ドアホン親機の制御部により実行される子−親間割込処理を示すフローチャートである。
【図１４】ドアホン親機の制御部により実行される子−親間割込処理を示すフローチャートである。
【図１５】ドアホン親機の制御部により実行される子−副親間割込処理を示すフローチャートである。
【図１６】ドアホン親機の制御部により実行される子−副親間割込処理を示すフローチャートである。
【図１７】ドアホン副親機の制御部により実行される子−副親間割込処理を示すフローチャートである。
【図１８】ドアホン副親機の制御部により実行される子−副親間割込み処理を示すフローチャートである。
【図１９】ドアホン親機の制御部により実行される子−副親間割込処理を示すフローチャートである。
【図２０】ドアホン親機の制御部により実行される子−副親間割込処理を示すフローチャートである。
【図２１】ドアホン副親機の制御部により実行される割込処理を示すフローチャートである。
【符号の説明】
【０２２７】
１００  ドアホン子機、１０１  カメラ部、１０２  スピーカ部、１０３  マイク部、１０４  呼出ＳＷ部、１０５  多重化分離化回路部、２００  ドアホン親機、２０６  多重化分離化回路部、２０７  表示部、２０８  スピーカ部、２０９  マイク部、２１０  映像信号圧縮部、２１１  呼出応答ＳＷ部、２１２  制御部、２１３  無線送信部、２１４  無線受信部、２１５  タイマ部、２１６  ＬＥＤ、２１７  切替ＳＷ部、３００  ドアホン副親機、３１７  無線受信部、３１８  無線送信部、３１９  呼出応答ＳＷ部、３２０  制御部、３２１  映像信号伸張部、３２２  表示部、３２３  スピーカ部、３２４  マイク部、３２５  ＬＥＤ、３２６  切替ＳＷ部、４００  ドアホン副親機、４１７  無線受信部、４１８  無線送信部、４１９  呼出応答ＳＷ部、４２０  制御部、４２１  映像信号伸張部、４２２  表示部、４２３  スピーカ部、４２４  マイク部、４２５  ＬＥＤ、４２６  切替ＳＷ部。
【図１】
2006041793.tif 000003
【図２】
2006041793.tif 000004
【図３】
2006041793.tif 000005
【図４】
2006041793.tif 000006
【図５】
2006041793.tif 000007
【図６】
2006041793.tif 000008
【図７】
2006041793.tif 000009
【図８】
2006041793.tif 000010
【図９】
2006041793.tif 000011
【図１０】
2006041793.tif 000012
【図１１】
2006041793.tif 000013
【図１２】
2006041793.tif 000014
【図１３】
2006041793.tif 000015
【図１４】
2006041793.tif 000016
【図１５】
2006041793.tif 000017
【図１６】
2006041793.tif 000018
【図１７】
2006041793.tif 000019
【図１８】
2006041793.tif 000020
【図１９】
2006041793.tif 000021
【図２０】
2006041793.tif 000022
【図２１】
2006041793.tif 000023